(57)【要約】【課題】  チャッキング動作の適正化を図ると共に薄型化を図る。【解決手段】  外筐６に、ディスクテーブル７８に装着されたディスク状記録媒体１００を挟んでピックアップベース７３の反対側に位置される弾性変形可能なカバー体８を設け、カバー体に、ディスク状記録媒体の内周部に対向して位置されディスク状記録媒体側に突出された押さえ突部８ｂを設け、ディスクテーブルにディスク状記録媒体が装着された状態において、ディスク状記録媒体がカバー体に近付く方向へ移動されディスク状記録媒体によって押さえ突部が押圧されたときに、カバー体のディスク状記録媒体から離隔する方向への一定量以上の変位を規制するリミッター２００を設けた。【選択図】        図３７
2009205736.tif 000002
【特許請求の範囲】
【請求項１】
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略回転軸方向へ移動可能とされたディスク駆動ユニットと、
内部に前記ディスク駆動ユニットが配置された外筐とを備え、
前記ディスクテーブルに、前記ディスク状記録媒体の中心孔に挿入され前記ディスク状記録媒体をセンターリングするセンターリング突部と、該センターリング突部によってセンターリングされた前記ディスク状記録媒体の内周部が載置されるテーブル部と、前記センターリング突部の外周部に位置され前記ディスク状記録媒体を前記テーブル部と挟持することにより保持する係合爪とを設け、
前記外筐に、前記ディスクテーブルに装着された前記ディスク状記録媒体を挟んで前記ピックアップベースの反対側に該ピックアップベースと対向して位置されると共に弾性変形可能なカバー体を設け、
前記カバー体に、前記ディスクテーブルに装着された前記ディスク状記録媒体の内周部に対向して位置されると共に前記ディスク状記録媒体側に突出された押さえ突部を設け、
前記ディスクテーブルに前記ディスク状記録媒体が装着された状態において、前記ディスク駆動ユニットが前記カバー体に近付く方向へ移動され前記ディスク状記録媒体によって前記押さえ突部が押圧されたときに、前記カバー体の前記ディスク駆動ユニットから離隔する方向への一定量以上の変位を規制するリミッターを設けた
ことを特徴とするディスクドライブ装置。
【請求項２】
前記ディスク駆動ユニットを前記ディスクテーブルの略回転軸方向へ移動させるカム溝を有すると共に所定の方向へ移動されるカムスライダーを設け、
前記リミッターとして、
前記ディスクテーブルの略回転軸方向へ移動可能とされると共に前記カムスライダーのカム溝に摺動自在に係合される係合ピンを有するリミットレバーと、
前記リミットレバーを前記係合ピンが前記カバー体に近付く方向へ付勢するリミットバネとを設けた
ことを特徴とする請求項１に記載のディスクドライブ装置。
【請求項３】
前記ディスク駆動ユニットを前記ディスクテーブルの略回転軸方向へ移動させるカム溝を有すると共に所定の方向へ移動されるカムスライダーを設け、
前記カムスライダーのカム溝に摺動自在に係合されると共に前記カムスライダーを前記ディスク駆動ユニットが前記ディスクテーブルの略回転軸方向へ移動される方向へ移動させる作動ピンを設け、
前記作動ピンにスリットを形成して前記作動ピンを前記ディスクテーブルの略回転軸方向へ弾性変形可能とし、
前記作動ピンを前記リミッターとして用いた
ことを特徴とする請求項１に記載のディスクドライブ装置。
【請求項４】
前記ディスク駆動ユニットを前記ディスクテーブルの略回転軸方向へ移動させるカム溝を有すると共に所定の方向へ移動されるカムスライダーを設け、
前記カムスライダーのカム溝に摺動自在に係合されると共に前記カムスライダーを前記ディスク駆動ユニットが前記ディスクテーブルの略回転軸方向へ移動される方向へ移動させる作動ピンを設け、
前記カムスライダーのカム溝に前記ディスク駆動ユニットの前記カバー体に近付く方向への移動を規制する板バネを配置し、
前記板バネを前記リミッターとして用いた
ことを特徴とする請求項１に記載のディスクドライブ装置。
【請求項５】
前記カバー体の押さえ突部として前記ディスクテーブルに装着された前記ディスク状記録媒体の記録面に離接する方向へ弾性変形可能な弾性部材を設け、
前記弾性部材を前記リミッターとして用いた
ことを特徴とする請求項１に記載のディスクドライブ装置。
【請求項６】
前記ディスクテーブルのテーブル部の少なくとも一部を前記ディスク状記録媒体の記録面に離接する方向へ弾性変形可能な弾性体によって形成し、
前記弾性体を前記リミッターとして用いた
ことを特徴とする請求項１に記載のディスクドライブ装置。
【請求項７】
ディスク状記録媒体に対して情報信号の記録若しくは再生又はこれらの双方を行うディスクドライブ装置を備えた電子機器であって、
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略回転軸方向へ移動可能とされたディスク駆動ユニットと、
内部に前記ディスク駆動ユニットが配置された外筐とを備え、
前記ディスクテーブルに、前記ディスク状記録媒体の中心孔に挿入され前記ディスク状記録媒体をセンターリングするセンターリング突部と、該センターリング突部によってセンターリングされた前記ディスク状記録媒体の内周部が載置されるテーブル部と、前記センターリング突部の外周部に位置され前記ディスク状記録媒体を前記テーブル部と挟持することにより保持する係合爪とを設け、
前記外筐に、前記ディスクテーブルに装着された前記ディスク状記録媒体を挟んで前記ピックアップベースの反対側に該ピックアップベースと対向して位置されると共に弾性変形可能なカバー体を設け、
前記カバー体に、前記ディスクテーブルに装着された前記ディスク状記録媒体の内周部に対向して位置されると共に前記ディスク状記録媒体側に突出された押さえ突部を設け、
前記ディスクテーブルに前記ディスク状記録媒体が装着された状態において、前記ディスク駆動ユニットが前記カバー体に近付く方向へ移動され前記ディスク状記録媒体によって前記押さえ突部が押圧されたときに、前記カバー体の前記ディスク駆動ユニットから離隔する方向への一定量以上の変位を規制するリミッターを設けた
ことを特徴とする電子機器。
【発明の詳細な説明】
【技術分野】
【０００１】
本発明はディスクドライブ装置及び電子機器についての技術分野に関する。詳しくは、ディスクテーブルへのディスク状記録媒体のチャキング時に、ディスク状記録媒体が接触されるカバー体のディスク駆動ユニットから離隔する方向への一定以上の変位を規制するリミッターを設けてチャッキング動作の適正化を図ると共に薄型化を図る技術分野に関する。
【背景技術】
【０００２】
ディスク状記録媒体に対して情報信号の記録若しくは再生又はこれらの双方を行うディスクドライブ装置がある（例えば、特許文献１参照）。
【０００３】
このようなディスクドライブ装置には、ディスク状記録媒体がディスクテーブルとクランパーによって挟持されてチャッキングされるタイプと、ディスク状記録媒体がディスクテーブルに設けられた弾性変形可能な係合爪によって保持されてチャッキングされるタイプとがある。
【０００４】
ディスク状記録媒体が係合爪によって保持されてチャッキングされるタイプのディスクドライブ装置においては、ディスク状記録媒体がディスク挿入口から挿入されると、ディスクローディング機構によってディスク状記録媒体がローディングされ、ディスク状記録媒体は中心孔がディスクテーブルのセンターリング突部の真上に位置するセンターリング位置まで搬送される。
【０００５】
ディスク状記録媒体がセンターリング位置まで搬送されると、続いて、ディスクテーブルや光ピックアップを有するディスク駆動ユニットが上昇される。ディスク駆動ユニットが上昇されていくと、ディスクテーブルのセンターリング突部の外周部に設けられた係合爪がディスク状記録媒体の内周縁に接し、該ディスク状記録媒体がディスク駆動ユニットの上昇動作に伴って持ち上げられる。
【０００６】
ディスク状記録媒体は、内周部がその上方に位置するカバー体に設けられた押さえ突部に接触される。ディスク状記録媒体の内周部がカバー体の押さえ突部に接触されると、カバー体はディスク駆動ユニットの上昇動作によって弾性変形されるが、カバー体が所定の量だけ弾性変形されたところでカバー体の反力によってディスク状記録媒体の内周縁がディスクテーブルの係合爪に強く押し付けられて係合爪がディスクテーブルの中心側へ撓められ、ディスク状記録媒体の中心孔にディスクテーブルのセンターリング突部が挿入される。
【０００７】
ディスクテーブルのセンターリング突部がディスク状記録媒体の中心孔に挿入されると、撓められていた係合爪が弾性復帰してディスク状記録媒体の内周縁に係合し、ディスク状記録媒体がディスクテーブルに保持されて装着（チャッキング）される。
【０００８】
ディスクテーブルに対するディスク状記録媒体の装着が完了すると、ディスク駆動ユニットは下方へ移動され、ディスク状記録媒体がカバー体から下方に離隔されてカバー体が弾性復帰される。
【０００９】
ディスク状記録媒体は係合爪によってディスクテーブルに保持されており、スピンドルモーターによって回転されるディスクテーブルに伴ってディスク状記録媒体が回転され、光ピックアップの駆動によりディスク状記録媒体に対する情報信号の記録又は再生が行われる。
【００１０】
【特許文献１】特開２０００−１２３５１６号公報
【発明の開示】
【発明が解決しようとする課題】
【００１１】
ところで、ディスクドライブ装置は、例えば、オーディオ機器、パーソナルコンピューター、テレビの録画用のディスクレコーダー等の各種の電子機器に組み込まれている。このようなディスクドライブ装置は、電子機器の薄型化の要求に伴って薄型化が必要とされる傾向にあり、特に、ノート型のパーソナルコンピューター等の薄型化の要求が高い電子機器に組み込まれるものにあっては、一層の薄型化の必要性が生じている。
【００１２】
一方、上記のようなディスクドライブ装置において用いられるディスク状記録媒体は、製造上の誤差や規格の相違によって厚みが異なる場合がある。例えば、ディスク状記録媒体の厚みは、規格上０．９ｍｍから１．５ｍｍまでの厚みとされている。
【００１３】
ところが、このようなディスク状記録媒体の厚みの相違によって、従来のディスクドライブ装置においては、以下のような問題が生じている。
【００１４】
ディスクドライブ装置において、厚みの薄いディスク状記録媒体を基準としてチャッキング動作の設計を行い、チャッキング時におけるカバー体の撓み量を低減し、カバー体とその上方に位置する他の部材との空間を小さくして薄型化を図ることが可能であるが、この場合に厚みの厚いディスク状記録媒体のチャッキングが行われるときには、ディスク状記録媒体の厚みが厚い分、チャッキングが行われた後にもカバー体がディスク状記録媒体によって押し上げられて、カバー体とその上方に位置する他の部材とが接触してチャッキング動作に支障を来たすおそれがある。
【００１５】
逆に、ディスクドライブ装置において、厚みの厚いディスク状記録媒体を基準としてチャッキング動作の設計を行い、チャッキング動作の適正化を図ろうとすると、カバー体の大きな撓み量を考慮してカバー体とその上方に位置する他の部材との空間を大きくする必要が生じ、薄型化を図ることができなくなってしまう。
【００１６】
そこで、本発明ディスクドライブ装置及び電子機器は、上記した問題点を克服し、チャッキング動作の適正化を図ると共に薄型化を図ることを課題とする。
【課題を解決するための手段】
【００１７】
ディスクドライブ装置及び電子機器は、上記した課題を解決するために、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略回転軸方向へ移動可能とされたディスク駆動ユニットと、内部に前記ディスク駆動ユニットが配置された外筐とを備え、前記ディスクテーブルに、前記ディスク状記録媒体の中心孔に挿入され前記ディスク状記録媒体をセンターリングするセンターリング突部と、該センターリング突部によってセンターリングされた前記ディスク状記録媒体の内周部が載置されるテーブル部と、前記センターリング突部の外周部に位置され前記ディスク状記録媒体を前記テーブル部と挟持することにより保持する係合爪とを設け、前記外筐に、前記ディスクテーブルに装着された前記ディスク状記録媒体を挟んで前記ピックアップベースの反対側に該ピックアップベースと対向して位置されると共に弾性変形可能なカバー体を設け、前記カバー体に、前記ディスクテーブルに装着された前記ディスク状記録媒体の内周部に対向して位置されると共に前記ディスク状記録媒体側に突出された押さえ突部を設け、前記ディスクテーブルに前記ディスク状記録媒体が装着された状態において、前記ディスク駆動ユニットが前記カバー体に近付く方向へ移動され前記ディスク状記録媒体によって前記押さえ突部が押圧されたときに、前記カバー体の前記ディスク駆動ユニットから離隔する方向への一定量以上の変位を規制するリミッターを設けたものである。
【００１８】
従って、ディスクドライブ装置及び電子機器にあっては、厚みの厚いディスク状記録媒体のチャッキング時に、リミッターによってディスク駆動ユニットのカバー体に近付く方向への一定量以上の移動が規制される。
【００１９】
上記したディスクドライブ装置又は電子機器において、前記ディスク駆動ユニットを前記ディスクテーブルの略回転軸方向へ移動させるカム溝を有すると共に所定の方向へ移動されるカムスライダーを設け、前記リミッターとして、前記ディスクテーブルの略回転軸方向へ移動可能とされると共に前記カムスライダーのカム溝に摺動自在に係合される係合ピンを有するリミットレバーと、前記リミットレバーを前記係合ピンが前記カバー体に近付く方向へ付勢するリミットバネとを設けることが望ましい。
【００２０】
このような構成においては、厚みの厚いディスク状記録媒体のチャッキング時に、リミットバネの付勢力に抗してリミットレバーが移動され、ディスク駆動ユニットのカバー体に近付く方向への一定量以上の移動が規制される。
【００２１】
また、上記したディスクドライブ装置又は電子機器において、前記ディスク駆動ユニットを前記ディスクテーブルの略回転軸方向へ移動させるカム溝を有すると共に所定の方向へ移動されるカムスライダーを設け、前記カムスライダーのカム溝に摺動自在に係合されると共に前記カムスライダーを前記ディスク駆動ユニットが前記ディスクテーブルの略回転軸方向へ移動される方向へ移動させる作動ピンを設け、前記作動ピンにスリットを形成して前記作動ピンを前記ディスクテーブルの略回転軸方向へ弾性変形可能とし、前記作動ピンを前記リミッターとして用いることが可能である。
【００２２】
作動ピンをリミッターとして用いる構成においては、厚みの厚いディスク状記録媒体のチャッキング時に、作動ピンが弾性変形し、ディスク駆動ユニットのカバー体に近付く方向への一定量以上の移動が規制される。
【００２３】
さらに、上記したディスクドライブ装置又は電子機器において、前記ディスク駆動ユニットを前記ディスクテーブルの略回転軸方向へ移動させるカム溝を有すると共に所定の方向へ移動されるカムスライダーを設け、前記カムスライダーのカム溝に摺動自在に係合されると共に前記カムスライダーを前記ディスク駆動ユニットが前記ディスクテーブルの略回転軸方向へ移動される方向へ移動させる作動ピンを設け、前記カムスライダーのカム溝に前記ディスク駆動ユニットの前記カバー体に近付く方向への移動を規制する板バネを配置し、前記板バネを前記リミッターとして用いることが可能である。
【００２４】
板バネをリミッターとして用いる構成においては、厚みの厚いディスク状記録媒体のチャッキング時に、板バネが弾性変形し、ディスク駆動ユニットのカバー体に近付く方向への一定量以上の移動が規制される。
【００２５】
さらにまた、上記したディスクドライブ装置又は電子機器において、前記カバー体の押さえ突部として前記ディスクテーブルに装着された前記ディスク状記録媒体の記録面に離接する方向へ弾性変形可能な弾性部材を設け、前記弾性部材を前記リミッターとして用いることが可能である。
【００２６】
弾性部材をリミッターとして用いる構成においては、厚みの厚いディスク状記録媒体のチャッキング時に、弾性部材が弾性変形し、ディスク駆動ユニットのカバー体に近付く方向への一定量以上の移動が規制される。
【００２７】
加えて、上記したディスクドライブ装置又は電子機器において、前記ディスクテーブルのテーブル部の少なくとも一部を前記ディスク状記録媒体の記録面に離接する方向へ弾性変形可能な弾性体によって形成し、前記弾性体を前記リミッターとして用いることが可能である。
【００２８】
弾性体をリミッターとして用いる構成においては、厚みの厚いディスク状記録媒体のチャッキング時に、弾性体が弾性変形し、ディスク駆動ユニットのカバー体に近付く方向への一定量以上の移動が規制される。
【発明の効果】
【００２９】
本発明ディスクドライブ装置は、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略回転軸方向へ移動可能とされたディスク駆動ユニットと、内部に前記ディスク駆動ユニットが配置された外筐とを備え、前記ディスクテーブルに、前記ディスク状記録媒体の中心孔に挿入され前記ディスク状記録媒体をセンターリングするセンターリング突部と、該センターリング突部によってセンターリングされた前記ディスク状記録媒体の内周部が載置されるテーブル部と、前記センターリング突部の外周部に位置され前記ディスク状記録媒体を前記テーブル部と挟持することにより保持する係合爪とを設け、前記外筐に、前記ディスクテーブルに装着された前記ディスク状記録媒体を挟んで前記ピックアップベースの反対側に該ピックアップベースと対向して位置されると共に弾性変形可能なカバー体を設け、前記カバー体に、前記ディスクテーブルに装着された前記ディスク状記録媒体の内周部に対向して位置されると共に前記ディスク状記録媒体側に突出された押さえ突部を設け、前記ディスクテーブルに前記ディスク状記録媒体が装着された状態において、前記ディスク駆動ユニットが前記カバー体に近付く方向へ移動され前記ディスク状記録媒体によって前記押さえ突部が押圧されたときに、前記カバー体の前記ディスク駆動ユニットから離隔する方向への一定量以上の変位を規制するリミッターを設けたことを特徴とする。
【００３０】
従って、厚みが相違する何れのディスク状記録媒体のチャッキング動作をも適正に行うことができると共にカバー体の外側の空間を少なくすることができディスクドライブ装置の薄型化を図ることができる。
【００３１】
請求項２に記載した発明にあっては、前記ディスク駆動ユニットを前記ディスクテーブルの略回転軸方向へ移動させるカム溝を有すると共に所定の方向へ移動されるカムスライダーを設け、前記リミッターとして、前記ディスクテーブルの略回転軸方向へ移動可能とされると共に前記カムスライダーのカム溝に摺動自在に係合される係合ピンを有するリミットレバーと、前記リミットレバーを前記係合ピンが前記カバー体に近付く方向へ付勢するリミットバネとを設けたので、リミッターとしての構成がリミットレバーとリミットバネと言う簡単な構成であり、機構の簡素化を図った上でチャッキング動作の適正化及び薄型化を図ることができる。
【００３２】
請求項３に記載した発明にあっては、前記ディスク駆動ユニットを前記ディスクテーブルの略回転軸方向へ移動させるカム溝を有すると共に所定の方向へ移動されるカムスライダーを設け、前記カムスライダーのカム溝に摺動自在に係合されると共に前記カムスライダーを前記ディスク駆動ユニットが前記ディスクテーブルの略回転軸方向へ移動される方向へ移動させる作動ピンを設け、前記作動ピンにスリットを形成して前記作動ピンを前記ディスクテーブルの略回転軸方向へ弾性変形可能とし、前記作動ピンを前記リミッターとして用いたので、リミッターとして機能する専用の部品を用いる必要がないため、部品点数の削減及び機構の簡素化を図ることができる。
【００３３】
請求項４に記載した発明にあっては、前記ディスク駆動ユニットを前記ディスクテーブルの略回転軸方向へ移動させるカム溝を有すると共に所定の方向へ移動されるカムスライダーを設け、前記カムスライダーのカム溝に摺動自在に係合されると共に前記カムスライダーを前記ディスク駆動ユニットが前記ディスクテーブルの略回転軸方向へ移動される方向へ移動させる作動ピンを設け、前記カムスライダーのカム溝に前記ディスク駆動ユニットの前記カバー体に近付く方向への移動を規制する板バネを配置し、前記板バネを前記リミッターとして用いたので、リミッターとしての構成が板バネと言う簡単な構成であり、簡素な構造とした上でチャッキング動作の適正化及び薄型化を図ることができる。
【００３４】
請求項５に記載した発明にあっては、前記カバー体の押さえ突部として前記ディスクテーブルに装着された前記ディスク状記録媒体の記録面に離接する方向へ弾性変形可能な弾性部材を設け、前記弾性部材を前記リミッターとして用いたので、リミッターとしての構成が弾性部材と言う簡単な構成であり、簡素な構造とした上でチャッキング動作の適正化及び薄型化を図ることができる。
【００３５】
請求項６に記載した発明にあっては、前記ディスクテーブルのテーブル部の少なくとも一部を前記ディスク状記録媒体の記録面に離接する方向へ弾性変形可能な弾性体によって形成し、前記弾性体を前記リミッターとして用いたので、ディスクテーブルの一部の構造をリミッターとして設けており、リミッターの専用の配置スペースを必要とせず、大型化を来たすことなくチャッキング動作の適正化及び薄型化を図ることができる。
【００３６】
本発明電子機器は、ディスク状記録媒体に対して情報信号の記録若しくは再生又はこれらの双方を行うディスクドライブ装置を備えた電子機器であって、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略回転軸方向へ移動可能とされたディスク駆動ユニットと、内部に前記ディスク駆動ユニットが配置された外筐とを備え、前記ディスクテーブルに、前記ディスク状記録媒体の中心孔に挿入され前記ディスク状記録媒体をセンターリングするセンターリング突部と、該センターリング突部によってセンターリングされた前記ディスク状記録媒体の内周部が載置されるテーブル部と、前記センターリング突部の外周部に位置され前記ディスク状記録媒体を前記テーブル部と挟持することにより保持する係合爪とを設け、前記外筐に、前記ディスクテーブルに装着された前記ディスク状記録媒体を挟んで前記ピックアップベースの反対側に該ピックアップベースと対向して位置されると共に弾性変形可能なカバー体を設け、前記カバー体に、前記ディスクテーブルに装着された前記ディスク状記録媒体の内周部に対向して位置されると共に前記ディスク状記録媒体側に突出された押さえ突部を設け、前記ディスクテーブルに前記ディスク状記録媒体が装着された状態において、前記ディスク駆動ユニットが前記カバー体に近付く方向へ移動され前記ディスク状記録媒体によって前記押さえ突部が押圧されたときに、前記カバー体の前記ディスク駆動ユニットから離隔する方向への一定量以上の変位を規制するリミッターを設けたことを特徴とする。
【００３７】
従って、厚みが相違する何れのディスク状記録媒体のチャッキング動作をも適正に行うことができると共にカバー体の外側の空間を少なくすることができ電子機器の薄型化を図ることができる。
【発明を実施するための最良の形態】
【００３８】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００３９】
尚、本発明電子機器及びディスクドライブ装置の適用範囲は、パーソナルコンピューター及びこれに備えられたディスクドライブ装置に限られることはなく、本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができ、本発明ディスクドライブ装置は、これらの各種の電子機器において扱われるディスク状記録媒体について情報信号の記録若しくは再生又はこれらの双方を行うディスクドライブ装置に広く適用することができる。
【００４０】
電子機器（パーソナルコンピューター）１は、例えば、装置本体２と該装置本体２に回動自在に支持されたディスプレイ装置３とを備え、装置本体２に所要の操作キーが配置されたキーボード４が設けられている（図１参照）。尚、電子機器１は、例えば、装置本体とキーボード装置が別体で設けられた所謂デスクトップ型の機器であってもよい。
【００４１】
装置本体２にはディスクドライブ装置５が内蔵されている。尚、以下のディスクドライブ装置５の説明においては、説明の便宜上、後述するディスク挿入口側を前方としディスク挿入口に対するディスク状記録媒体の挿入方向を後方とし、使用者がディスク挿入口にディスク状記録媒体１００を挿入する状態において、上下前後左右の向きを規定する。即ち、図１及び図２に示すＦ方向が前方となり、Ｒ方向が後方となる。
【００４２】
ディスクドライブ装置５は扁平な略矩形状に形成され、外筐６内に所要の各部が配置されて成る（図２参照）。外筐６は一部を除き上方及び前方に開口された浅い箱状を為すケース体７と該ケース体７を上方から閉塞するカバー体８とケース体７の前端に取り付けられたフロントパネル９とから成る。
【００４３】
カバー体８の中央部には挿入孔８ａが形成されている。カバー体８の挿入孔８ａにおける直ぐ外側には、下方に突出され周方向に延びる押さえ突部８ｂが設けられている。
【００４４】
フロントパネル９にはディスク挿入口９ａが形成され、該ディスク挿入口９ａはディスク状記録媒体１００の形状に対応して横長の形状に形成されている。ディスク挿入口９ａは図示しないシャッターによって開閉される。
【００４５】
ケース体７の右端部は他の部分より一段高く位置された支持面部１０として設けられ、該支持面部１０以外の部分が上方に開口された配置凹部１１として形成されている（図３乃至図５参照）。
【００４６】
ケース体７の底面部には上下に貫通された開口部７ａが形成されている。開口部７ａの右側開口縁は支持面部１０の左側縁の稍左方に位置されている。
【００４７】
ケース体７の配置凹部１１にはシャーシ１２が配置されている（図３参照）。シャーシ１２は、図６に示すように、左側に位置され前後に長く形成された左側部１３と該左側部１３の後半部から右方へ突出された右側部１４と該右側部１４の前側に設けられた左右に延びる第２のスライダー支持部１５と該第２のスライダー支持部１５の右端部から前方へ突出された第１のスライダー支持部１６とから成る。
【００４８】
シャーシ１２の左端寄りの位置には、前後に延びるスライダー支持孔１２ａ、１２ａが前後に離隔して形成されている。シャーシ１２には前側のスライダー支持孔１２ａの近傍に円弧状の第１のレバー支持孔１２ｂ、１２ｂが形成され、該第１のレバー支持孔１２ｂ、１２ｂは同心の円弧状に形成されている。シャーシ１２には左右に離隔して第２のレバー支持孔１２ｃ、１２ｃが形成され、該第２のレバー支持孔１２ｃ、１２ｃは左方へ凸の緩やかな円弧状に形成されている。シャーシ１２には左右に離隔して第３のレバー支持孔１２ｄ、１２ｄが形成され、該第３のレバー支持孔１２ｄ、１２ｄは右方へ凸の円弧状に形成されている。シャーシ１２には第２のレバー支持孔１２ｃ、１２ｃ間にバネ配置孔１２ｅが形成されている。
【００４９】
第２のスライダー支持部１５は右側部１４の前縁から下方へ突出された後面部１５ａと該後面部１５ａの下縁から前方へ突出された底面部１５ｂと該底面部１５ｂの前縁から上方へ突出されたレバー支持片部１５ｃとを有している。
【００５０】
第２のスライダー支持部１５のレバー支持片部１５ｃにおける右端部には、後方へ突出された作動ピン１５ｄが設けられている。レバー支持片部１５ｃの左端部には支持ピン１５ｅが前方へ突出して設けられている。レバー支持片部１５ｃには、作動ピン１５ｄと支持ピン１５ｅの間に、左側から順にピン挿通切欠１５ｆ、案内用切欠１５ｇ、１５ｇが形成されている。
【００５１】
第１のスライダー支持部１６は上下方向を向く底面部１６ａと該底面部１６ａの左側縁の一部から上方へ突出されたレバー支持片部１６ｂとを有している。レバー支持片部１６ｂには前後に離隔して右方へ突出された支持ピン１６ｃ、１６ｃが設けられている。
【００５２】
第２のスライダー支持部１５と第１のスライダー支持部１６の連結部分には、上方へ突出された支持軸１７が設けられている。支持軸１７の近傍の位置には、バネ掛け片１８が設けられている。
【００５３】
シャーシ１２には、第２のスライダー支持部１５の直ぐ左側の位置に、バネ支持片部１２ｆ、１２ｇが設けられている。
【００５４】
ケース体７の配置凹部１１には、その前端部における右端寄りの位置に駆動モーター１９が配置されている（図３参照）。駆動モーター１９のモーター軸には図示しないウォームが固定されている。
【００５５】
駆動モーター１９の近傍の位置には、複数のギヤが互いに噛合されて成る図示しない減速ギヤ群が支持されている。減速ギヤ群はウォームに噛合されている。
【００５６】
ケース体７の配置凹部１１における右端部には、スライダー２０が前後方向へ移動自在に支持されている（図３乃至図５参照）。
【００５７】
スライダー２０は前後方向に長く形成され、図７に示すように、前端部における左側面にラック部２０ａを有している。
【００５８】
スライダー２０にはラック部２０ａの後側の位置に、上方へ突出された押圧突部２０ｂが設けられている。
【００５９】
スライダー２０には押圧突部２０ｂの後側の位置に、上方に開口された軸摺動溝２１が形成されている。軸摺動溝２１は、前後に延びる前側直線部２１ａと、該前側直線部２１ａの後端に連続し後方へ行くに従って右方へ傾斜する前側斜行部２１ｂと、該前側斜行部２１ｂの後端に連続し前後に延びる中側直線部２１ｃと、該中側直線部２１ｃの後端に連続し後方へ行くに従って左方へ傾斜する後側斜行部２１ｄと、該後側斜行部２１ｄの後端に連続し前後に延びる後側直線部２１ｅとから成る。
【００６０】
スライダー２０の後端部には左方へ突出されたスイッチ押圧部２０ｃが設けられている。
【００６１】
スライダー２０には軸摺動溝２１の左側の位置に前方を向く押圧面部２０ｄが形成されている。スライダー２０の押圧面部２０ｄの直ぐ後側には左方及び上方に開口された作用溝２０ｅが形成されている。
【００６２】
スライダー２０はラック部２０ａが減速ギヤ群と噛合されている。従って、駆動モーター１９の駆動力がウォーム及び減速ギヤ群を介してスライダー２０に伝達されると、該スライダー２０が駆動モーター１９の回転方向に応じて前後方向へ移動される。
【００６３】
ケース体７の支持面部１０には回動レバー２２が回動自在に支持されている（図３乃至図５参照）。回動レバー２２には、図８に示すように、回動支点部２２ａの前側に下方へ突出された被押圧片部２２ｂが設けられ、回動支点部２２ａの後側に下方へ突出された被押圧軸２２ｃが設けられている。回動レバー２２の後端部には下方へ折り曲げられたバネ掛け突片２２ｄが設けられている。
【００６４】
回動レバー２２の後端部とケース体７の間には捩じりコイルバネ２３が支持されている（図２３参照）。捩じりコイルバネ２３はケース体７の支持軸１７に支持され、両端部がそれぞれケース体７のバネ掛け片１８と回動レバー２２のバネ掛け突片２２ｄとに取り付けられている。回動レバー２２は捩じりコイルバネ２３によって平面で見て時計回り方向へ付勢されている。
【００６５】
ケース体７の支持面部１０にはロードレバー２４が回動自在に支持されている（図３乃至図５参照）。ロードレバー２４は、図８に示すように、回動面部２４ａと該回動面部２４ａの前端部に回転自在に支持されたローラー２４ｂとから成る。ロードレバー２４の回動面部２４ａには下方に開口された図示しない摺動用溝が形成されている。
【００６６】
ロードレバー２４の摺動用溝には回動レバー２２の前端部が摺動自在に支持されている。従って、回動レバー２２が回動されると、該回動レバー２２の回動動作に伴ってロードレバー２４が回動される。
【００６７】
ロードレバー２４は捩じりコイルバネ２３の作用によって回動レバー２２を介して平面で見て時計回り方向へ付勢されている。
【００６８】
シャーシ１２の下面側には略左右に長く形成された駆動レバー２５が回動自在に支持されている（図３乃至図５参照）。駆動レバー２５は、図９に示すように、シャーシ１２に支持される被支持面部２６と、該被支持面部２６から左方へ突出された延設部２７と、被支持面部２６から右方へ突出された突設部２８とから成る。
【００６９】
被支持面部２６の左端部には所定の形状に形成された作用孔２９が形成されている。
【００７０】
被支持面部２６の左端部における前縁は、後方へ凸の略円弧状に形成された押圧部２６ａとして設けられている。
【００７１】
延設部２７にはそれぞれ上方へ突出された被支持ピン２７ａ、２７ａが左右に離隔して設けられている。延設部２７の先端部はイジェクト時に後述するサポートレバーを押圧する作用部２７ｂとして設けられている。
【００７２】
突設部２８の右端部には下方へ突出された被支持ピン３０が設けられている。
【００７３】
駆動レバー２５は被支持ピン３０がスライダー２０の後端部に形成された支持孔２０ｆに挿入され、スライダー２０に回動自在に連結されている。
【００７４】
駆動レバー２５は被支持面部２６における略中央部がシャーシ１２に対する回動支点とされ、被支持ピン２７ａ、２７ａがそれぞれ第２のレバー支持孔１２ｃ、１２ｃに挿入されてシャーシ１２に回動自在に支持される。駆動レバー２５は突設部２８の右端部に設けられた支持ピン３０がスライダー２０に回動自在に連結されているため、スライダー２０が前方へ移動されると平面で見て時計回り方向へ回動され、スライダー２０が後方へ移動されると平面で見て反時計回り方向へ回動される。
【００７５】
シャーシ１２の左側部１３の下面側にはセンターリングスライダー３１が前後方向へ移動自在に支持されている（図３乃至図５参照）。センターリングスライダー３１は前後方向へ長く形成され前半部に大きな開口３１ａが形成されている（図１０参照）。
【００７６】
センターリングスライダー３１には、その前端部から後方へ突出された作用突部３２が設けられ、該作用突部３２は開口３１ａ内に突出するように位置されている。作用突部３２の後端部はロック部３２ａとして設けられている。作用突部３２の後端寄りの部分の縁部は、左右に延びるように形成されたロック縁部３２ｂとして設けられている。
【００７７】
センターリングスライダー３１の開口３１ａの開口縁には、その前端寄りの位置に左斜め後方を向く傾斜作用部３３と右方へ突出され前後に延びる直線作用部３４とが設けられている。傾斜作用部３３は直線作用部３４より稍前側に位置されている。
【００７８】
センターリングスライダー３１の後端部には右方へ突出された被押圧片部３１ｂが設けられている。
【００７９】
センターリングスライダー３１にはそれぞれ上方へ突出された被案内ピン３１ｃ、３１ｃが前後に離隔して設けられている。
【００８０】
センターリングスライダー３１と後述するサポートレバーとの間には引張コイルバネ３５が支持され（図３及び図５参照）、センターリングスライダー３１が引張コイルバネ３５によって前方へ付勢されている。
【００８１】
センターリングスライダー３１は被案内ピン３１ｃ、３１ｃがそれぞれスライダー支持孔１２ａ、１２ａに挿入されてシャーシ１２に前後方向へ移動自在に支持される。センターリングスライダー３１がシャーシ１２に支持された状態においては、被押圧片部３１ｂが左側の第２のレバー支持孔１２ｃの下方に位置される。
【００８２】
シャーシ１２の右側部１４の上面側にはイジェクトレバー３６が回動自在に支持されている（図３乃至図５参照）。
【００８３】
イジェクトレバー３６は略一方向に長く形成され、長手方向における一端部にディスク保持部３７を有している（図１１参照）。ディスク保持部３７には上方へ突出されたディスク保持ピン３７ａが設けられている。
【００８４】
イジェクトレバー３６にはそれぞれ下方へ突出された取付ピン３６ａと規制ピン３６ｂが長手方向に離隔して設けられている。
【００８５】
イジェクトレバー３６は長手方向における他端部寄りの位置が支点とされ、取付ピン３６ａと規制ピン３６ｂがそれぞれ第３のレバー支持孔１２ｄ、１２ｄに挿入されてシャーシ１２に回動自在に支持される。
【００８６】
イジェクトレバー３６がシャーシ１２に支持された状態において、イジェクトレバー３６の長手方向における他端部とシャーシ１２の後端部との間に付勢バネ３８が支持され、イジェクトレバー３６が平面で見て時計回り方向へ付勢される。
【００８７】
イジェクトレバー３６がシャーシ１２に支持された状態において、取付ピン３６ａに被押圧部材３９が取り付けられ、該被押圧部材３９はシャーシ１２の下面側に位置される。被押圧部材３９は扁平な形状に形成され、図１２に示すように、外周面の一部を除いた部分が緩やかな凸状の曲面にされたスイッチ押圧部３９ａと該スイッチ押圧部３９ａに連続され緩やかな凸状又は凹状の曲面に形成された被押圧部３９ｂとして形成されている。
【００８８】
イジェクトレバー３６がシャーシ１２に支持された状態において、規制ピン３６ｂは駆動レバー２５の作用孔２９に挿入される（図５参照）。
【００８９】
イジェクトレバー３６は、ディスク挿入口９ａから挿入されるディスク状記録媒体１００をディスク保持部３７が待ち受ける待受位置と、ディスク保持部３７に保持されたディスク状記録媒体１００を引き込む引込位置との間で回動される。
【００９０】
シャーシ１２の左側部１３の上面側にはサポートレバー４０が回動自在に支持されている（図３乃至図５参照）。
【００９１】
サポートレバー４０は、図１１に示すように、被支持板部４１と該被支持板部４１から側方へ突出されたアーム部４２とから成り、該アーム部４２の先端部にディスク保持部４３が設けられている。ディスク保持部４３には上方へ突出されたディスク保持ピン４３ａが設けられている。
【００９２】
サポートレバー４０の被支持板部４１にはそれぞれ下方へ突出された被ガイドピン４１ａ、４１ａが設けられている。
【００９３】
サポートレバー４０は被支持板部４１のアーム部４２に連続する端部と反対側の端部が支点とされ、被ガイドピン４１ａ、４１ａがそれぞれ第１のレバー支持孔１２ｂ、１２ｂに挿入されてシャーシ１２に回動自在に支持される。
【００９４】
サポートレバー４０がシャーシ１２に支持された状態において、上記したように、サポートレバー４０の被支持板部４１とセンターリングスライダー３１の間に引張コイルバネ３５が支持され、サポートレバー４０が平面で見て時計回り方向へ付勢される（図３及び図５参照）。
【００９５】
サポートレバー４０は、ディスク挿入口９ａから挿入されるディスク状記録媒体１００をディスク保持部４３が待ち受ける待受位置と、ディスク保持部４３に保持されたディスク状記録媒体１００を引き込む引込位置との間で回動される。
【００９６】
シャーシ１２の左端部には前後に延びるセンターリングレバー４４が後端部を支点として回動自在に支持されている（図３乃至図５参照）。センターリングレバー４４はシャーシ１２の左側縁に沿うように位置されている。
【００９７】
センターリングレバー４４の前半部には、図１０に示すように、右方に開口されたディスク保持凹部４４ａが形成されている。センターリングレバー４４の前端寄りの位置には、その下端部から右方へ突出された被作用突部４４ｂが設けられている。被作用突部４４ｂはシャーシ１２に形成された切欠を介して該シャーシ１２の下面側に位置されている。
【００９８】
センターリングレバー４４とシャーシ１２の間にはコイルバネ４５が支持され、図３乃至図５に示すように、センターリングレバー４４は前端部が略左方へ移動する方向へ付勢されている。
【００９９】
ケース体７の左側面における前端部には前後に延びる案内部材４６が取り付けられている（図３乃至図５参照）。案内部材４６には右方に開口されたディスク案内凹部４６ａが形成されている。
【０１００】
ケース体７の配置凹部１１の右端部における前端部にはカバー４７が取り付けられ（図３乃至図５参照）、該カバー４７によって駆動モーター１９のモーター軸に固定された図示しないウォームと該ウォームに噛合された図示しない減速ギヤが上方から覆われている。
【０１０１】
シャーシ１２の第１のスライダー支持部１６には、図３乃至図５に示すように、前後方向に長い第１のカムスライダー４８が前後方向へ移動自在に支持されている。第１のカムスライダー４８の後端部には、図１３に示すように、上方へ突出された連結軸４８ａが設けられている。
【０１０２】
第１のカムスライダー４８には、後端部を除いた部分に、左右に離隔してそれぞれ左右方向を向く第１の支持壁４９と第２の支持壁５０が設けられている。
【０１０３】
第１の支持壁４９には前後に離隔して被案内孔４９ａとピン挿通孔４９ｂが形成されている。被案内孔４９ａとピン挿通孔４９ｂは何れも前後に長く形成され、ピン挿通孔４９ｂの上下の幅が被案内孔４９ａの上下の幅より大きくされている。
【０１０４】
第１のカムスライダー４８にはドライブプレート５１が所定の方向へ移動自在に支持されている。ドライブプレート５１は左右方向を向き前後に長いベース面部５２と該ベース面部５２の前後両端部からそれぞれ左方へ突出された被押圧ピン５３、作用ピン５４とから成る。作用ピン５４は被押圧ピン５３より長く形成され、軸径が第１のカムスライダー４８の第１の支持壁４９に形成されたピン挿通孔４９ｂの上下の幅より小さくされている。
【０１０５】
ドライブプレート５１のベース面部５２には前後に離隔してカム摺動孔５５と摺動孔５６が形成されている。カム摺動孔５５は、前後に延びる前側水平部５５ａと、該前側水平部５５ａの後端から後斜め下方へ延びる傾斜部５５ｂと、該傾斜部５５ｂの後端に連続し前後に延びる後側水平部５５ｃとから成る。摺動孔５６は前後に長く形成されている。
【０１０６】
ドライブプレート５１はベース面部５２が第１の支持壁４９と第２の支持壁５０の間に挿入され、第１のカムスライダー４８に支持される。ドライブプレート５１は第１のカムスライダー４８に支持された状態において、被押圧ピン５３が第１の支持壁４９の前面に係合され、作用ピン５４が第１の支持壁４９に形成されたピン挿通孔４９ｂに挿入されて左方へ突出される。
【０１０７】
ドライブプレート５１は被押圧ピン５３が第１の支持壁４９の前面に係合されるため、第１のカムスライダー４８の前方への移動時に一体となって前方へ移動される。上記したように、被押圧ピン５３は軸径が第１のカムスライダー４８のピン挿通孔４９ｂの上下の幅より小さくされているため、ドライプレート５１は第１のカムスライダー４８に対して作用ピン５４が上下に移動する方向へ移動可能とされている。また、ドライブプレート５１は第１のカムスライダー４８に対して前後方向へも移動可能とされている。
【０１０８】
第１のカムスライダー４８とドライブプレート５１は第１のスライダー支持部１６に前後方向へ移動自在に支持される。第１のカムスライダー４８とドライブプレート５１は、第１のスライダー支持部１６のレバー支持片部１６ｂに設けられた一方の支持ピン１６ｃが被案内孔４９ａ及びカム摺動孔５５に摺動自在に挿入され、他方の支持ピン１６ｃが被案内孔４９ａ及び摺動孔５６に摺動自在に挿入されることにより第１のスライダー支持部１６に前後方向へ移動自在に支持される。
【０１０９】
シャーシ１２の第２のスライダー支持部１５には左右に延びる第２のカムスライダー５７が左右方向へ移動自在に支持されている（図３乃至図５参照）。第２のカムスライダー５７の右端部には前後に長い連結孔５７ａが形成されている（図１３参照）。第２のカムスライダー５７の右端寄りの位置には結合溝５７ｂが形成されている。
【０１１０】
第２のカムスライダー５７には、左右に離隔して形成されたカム溝５８、５８と、該カム溝５８、５８間に位置された連結溝５９とが形成されている。
【０１１１】
カム溝５８は、図１４に示すように、左右に延びる第１の直線溝部５８ａと、該第１の直線溝部５８ａの左端から左斜め下方へ延びる第１の傾斜溝部５８ｂと、該第１の傾斜溝部５８ｂの左端に連続し左右に延びる第２の直線溝部５８ｃと、該第２の直線溝部５８ｃの左端から左斜め下方へ延びる第２の傾斜溝部５８ｄと、該第２の傾斜溝部５８ｄの左端から左斜め上方へ延びる第３の傾斜溝部５８ｅと、該第３の傾斜溝部５８ｅの左端に連続し左右に延びる第３の直線溝部５８ｆとから成る。
【０１１２】
連結溝５９は左右方向に長く形成されている。
【０１１３】
第２のカムスライダー５７は第２のスライダー支持部１５に左右方向へ移動自在に支持される。第２のカムスライダー５７が第２のスライダー支持部１５に支持された状態において、右側のカム溝５８に、レバー支持片部１５ｃに設けられた作動ピン１５ｄが摺動自在に挿入される。作動ピン１５ｄは第２のカムスライダー５７を上下方向へ移動させる機能を有する。
【０１１４】
ケース体７における第１のカムスライダー４８と第２のカムスライダー５７の間に位置する部分には連結レバー６０が回動自在に支持されている（図３乃至図５参照）。連結レバー６０には回動支点となる支点孔６０ａが形成されている（図１３参照）。連結レバー６０は支点孔６０ａを挟んだ略反対側に長孔状の連結孔６０ｂと下方へ突出された連結軸６０ｃとを有している。連結レバー６０には連結孔６０ｂの近傍の位置に下方へ突出された被作用軸６０ｄが設けられている。
【０１１５】
連結レバー６０は支点孔６０ａがシャーシ１２に設けられた支持軸１７に対応して位置され、連結ネジ６１によって支持軸１７に回動自在に支持される（図１５参照）。連結レバー６０は、図１３に示すように、連結軸６０ｂが第２のカムスライダー５７の連結孔５７ａに摺動自在に挿入され、連結孔６０ｃに第１のカムスライダー４８の連結軸４８ａが摺動自在に挿入される。従って、第１のカムスライダー４８が前後方向へ移動されると、連結レバー６０が支点孔６０ａを支点として回動され、連結レバー６０の回動に伴って第２のカムスライダー５７が第１のカムスライダー４８と同期して右方又は左方へ移動される。
【０１１６】
シャーシ１２の第２のスライダー支持部１５の支持ピン１５ｅにはリミットレバー６２が回動自在に支持されている。リミットレバー６２は略左右方向に長く形成され、略中央部が支持ピン１５ｅに支持されている。リミットレバー６２の左端部には上方に開口されたバネ掛け凹部６２ａが形成されている。リミットレバー６２の右端部には後方へ突出された係合ピン６２ｂが設けられている。
【０１１７】
リミットレバー６２の係合ピン６２ｂは第２のスライダー支持部１５のレバー支持片部１５ｃに形成されたピン挿通切欠１５ｆを介して第２のカムスライダー５８の左側のカム溝５８に摺動自在に挿入される。係合ピン６２ｂは第２のカムスライダー５７を上下方向へ移動させる機能を有する。
【０１１８】
上記したように、第２のカムスライダー５７の右側のカム溝５８にレバー支持片部１５ｃに設けられた作動ピン１５ｄが摺動自在に挿入され、左側のカム溝５８にリミットレバー６２の係合ピン６２ｂが摺動自在に挿入されるため、第２のカムスライダー５７が左右方向へ移動されると、カム溝５８、５８に対する作動ピン１５ｄと係合ピン６２ｂの位置が変化され、第２のカムスライダー５７は作動ピン１５ｄと係合ピン６２ｂのカム溝５８、５８の位置に応じて上下方向へ移動される。
【０１１９】
シャーシ１２のバネ支持片部１２ｆ、１２ｇにはリミットバネ６３が支持されている（図１６参照）。リミットバネ６３は、例えば、捩じりコイルバネであり、コイル部６３ａが押さえネジ６４によってバネ支持片部１２ｇに取り付けられ、一方の腕部６３ｂがバネ支持片部１２ｆに上方から係合され、他方の腕部６３ｃがリミットレバー６２のバネ掛け凹部６２ａに上方から係合されている。従って、リミットレバー６２はリミットバネ６３によって係合ピン６２ｂが略上方へ移動する回動方向（図１６に示すＦ方向）へ付勢されている。
【０１２０】
上記したように、リミットレバー６２はリミットバネ６３によって付勢され、バネ掛け凹部６２ａ側の端部がバネ支持片部１２ｆに接した状態とされる。従って、バネ支持片部１２ｆはリミットバネ６２の一方の回動方向における動作を規制するストッパーとして機能する。
【０１２１】
リミットレバー６２とリミットバネ６３は、後述するディスク駆動ユニットの一定量以上の上昇を規制するリミッター２００として機能する。
【０１２２】
第１のスライドプレート６５は前後に長く形成されている（図１３及び図１７参照）。第１のスライドプレート６５には前側から順にカム孔６６、摺動孔６７及び連結孔６８が形成されている。
【０１２３】
カム孔６６は、図１８に示すように、前後に延びる第１の直線部６６ａと、該第１の直線部６６ａの後端から後斜め下方へ延びる第１の傾斜部６６ｂと、該第１の傾斜部６６ｂの後端から後方へ延びる第２の直線部６６ｃと、該第２の直線部６６ｃの後端から後斜め上方へ延びる第２の傾斜部６６ｄと、該第２の傾斜部６６ｄの後端から後方へ延びる第３の直線部６６ｅとから成る。
【０１２４】
摺動孔６７は前後に長く形成されている。
【０１２５】
連結孔６８は上下に長く形成されている。
【０１２６】
第１のスライドプレート６５の連結孔６８にはドライブプレート５１の作用ピン５４が摺動自在に挿入される。従って、第１のスライドプレート６５は第１のカムスライダー４８及びドライブプレート５１と一体となって前後方向へ移動される。また、連結孔６８は上下に長く形成されているため、第１のスライドプレート６５とドライブプレート５１は互いに対して上下方向へ移動可能とされている。
【０１２７】
第２のスライドプレート６９は左右に長く形成されている（図１３及び図１７参照）。第２のスライドプレート６９の右端部には後方へ突出された結合片６９ａが設けられている。第２のスライドプレート６９には、左右両端部にそれぞれカム孔７０、７０が形成され、該カム孔７０、７０間の位置に摺動孔７１が形成されている。
【０１２８】
カム孔７０は、図１９に示すように、左右に延びる第１の直線部７０ａと、該第１の直線部７０ａの左端から左斜め下方へ延びる第１の傾斜部７０ｂと、該第１の傾斜部７０ｂの左端から左方へ延びる第２の直線部７０ｃと、該第２の直線部７０ｃの左端から左斜め上方へ延びる第２の傾斜部７０ｄと、該第２の傾斜部７０ｄの左端から左方へ延びる第３の直線部７０ｅとから成る。
【０１２９】
摺動孔７１は左右に長く形成されている。
【０１３０】
第２のスライドプレート６９は結合片６９ａが第２のカムスライダー５７の結合溝５７ｂに結合される。従って、第２のスライドプレート６９は第２のカムスライダー５７と一体となって左右方向へ移動される。
【０１３１】
ケース体７の配置凹部１１には、図３乃至図５に示すように、シャーシ１２の第２のスライダー支持部１５の前側の位置に、ピックアップユニット７２が後端部が略上下に移動される方向へ回動自在（昇降自在）に支持されている。ピックアップユニット７２はピックアップベース７３と該ピックアップベース７３にディスク状記録媒体１００の半径方向へ移動自在に支持された光ピックアップ７４とを有している。
【０１３２】
ピックアップベース７３の外周面には、それぞれ右方へ突出された連結ピン７３ａ、７３ａと後方へ突出された連結ピン７３ｂ、７３ｂとが設けられている（図１３、図１５及び図１７参照）。
【０１３３】
連結ピン７３ａ、７３ａはそれぞれ第１のスライドプレート６５の摺動孔６７に摺動自在に連結され、連結ピン７３ｂ、７３ｂはそれぞれ第２のカムスライダー５７の連結溝５９及び第２のスライダー支持部１５の案内用切欠１５ｇ、１５ｇに摺動自在に連結されている。従って、上記したように、第２のカムスライダー５７が左右方向への移動に伴って上下方向へ移動されるため、ピックアップベース７３は第２のカムスライダー５７の上下方向における移動に伴って、後端部が略上下に移動される方向へ回動（昇降）される。
【０１３４】
ピックアップベース７３の外周面には、連結ピン７３ａ、７３ａの前方の位置と連結ピン７３ｂ、７３ｂの左右の外側の位置にそれぞれピン挿通孔７３ｃ、７３ｃ、７３ｃが形成されている。
【０１３５】
ピックアップベース７３には光ピックアップ７４及び後述するスピンドルモーター等を配置するための上下に貫通された配置孔７３ｄが形成されている（図１５参照）。
【０１３６】
第１のスライドプレート６５及び第２のスライドプレート６９にはモーターユニット７５が支持されている（図３乃至図５参照）。モーターユニット７５は、図２０に示すように、モーター取付ベース７６と該モーター取付ベース７６上に配置されたスピンドルモーター７７と該スピンドルモーター７７によって回転されるディスクテーブル７８とを有している。
【０１３７】
ピックアップベース７３とモーターユニット７５によってディスク状記録媒体１００の駆動を行うディスク駆動ユニット７９が構成され、該ディスク駆動ユニット７９は第１のカムスライダー４８や第２のカムスライダー５７等の各部材の動作によって昇降される。
【０１３８】
ディスクテーブル７８はスピンドルモーター７７のモーター軸に固定され、中央部にセンターリング突部７８ａを有し、該センターリング突部７８ａの外周側にディスク状記録媒体１００が載置されるテーブル部７８ｂが設けられている。センターリング突部７８ａの上端部における外周部には、周方向に離隔して係合爪７８ｃ、７８ｃ、７８ｃが設けられている。係合爪７８ｃ、７８ｃ、７８ｃはセンターリング突部７８ａの中心に対して離接する方向へ弾性変形可能とされている。
【０１３９】
モーター取付ベース７６はベース板８０と該ベース板８０上に支持された取付板８１とから成る。
【０１４０】
ベース板８０は上下方向を向く支持板部８２と該支持板部８２の前方及び右方側の側縁から上方へ突出された側板部８３とから成る。側板部８３には外方へ突出された軸状の連結軸８３ａ、８３ｂ、８３ｂが設けられている。連結軸８３ａは右方へ突出され、連結軸８３ｂ、８３ｂは左右に離隔された状態で後方へ突出されている。
【０１４１】
取付板８１は、略円板状に形成されたモーター取付部８１ａと該モーター取付部８１ａの外側に位置する被支持部８１ｂとが一体に形成されて成る。取付板８１はモーター取付部８１ａがベース板８０から側方へ突出された状態で位置され被支持部８１ｂが支持板部８２上に位置され、該支持板部８２との間に図示しない圧縮コイルバネが介在された状態でベース板８０に支持されている。取付板８１は圧縮コイルバネが介在された状態でベース板８０に支持されているため、該ベース板８０に対して上下方向へ変位可能とされ、上方へ付勢された状態でベース板８０に支持される。
【０１４２】
取付板８１のモーター取付部８１ａ上にはスピンドルモーター７７が取り付けられる。
【０１４３】
モーターユニット７５はピックアップベース７３の後端部に対応する位置に配置され、ディスクテーブル７８が配置孔７３ｄから上方へ突出される（図１５参照）。モーターユニット７５の側板部８３に設けられた連結軸８３ａ、８３ｂ、８３ｂは、それぞれピックアップベース７３のピン挿通孔７３ｃ、７３ｃ、７３ｃから外方へ突出される。
【０１４４】
連結軸８３ａは、図１３に示すように、第１のスライドプレート６５のカム孔６６に摺動自在に係合され、連結軸８３ｂ、８３ｂは、それぞれ第２のスライドプレート６９のカム孔７０、７０に摺動自在に係合される。従って、第１のスライドプレート６５と第２のスライドプレート６９が前後方向又は左右方向へ移動され連結軸８３ａ、８３ｂ、８３ｂのカム孔６６、７０、７０に対する位置が変化されると、モーターユニット７５が上下方向へ移動される。
【０１４５】
ピックアップユニット７２及びモーターユニット７５はともに上下方向へ移動され、移動途中において一体となって上下される。従って、一体となって上下されるときにはピックアップベース７３の下面にモーター取付ベース７６の取付板８１の上面が接した状態とされる。また、ディスク状記録媒体１００がディスクテーブル７８に装着された状態においても、ピックアップベース７３の下面にモーター取付ベース７６の取付板８１の上面が接する。
【０１４６】
このときモーター取付ベース７６は圧縮コイルバネによって取付板８１がベース板８０に対して変位可能な構成とされているため、取付板８１の上面がピックアップベース７３の下面に面接触された状態で押し付けられる。従って、取付板８１のピックアップベース７３に対する接触状態の安定化を図ることができる。
【０１４７】
シャーシ１２の下側には図示しない回路基板が配置され、図５に示すように、回路基板上に起動スイッチ８４と検出スイッチ８５、８６が搭載されている。起動スイッチ８４はケース体７の配置凹部１１の左右方向における略中央部に位置され、検出スイッチ８５、８６は配置凹部１１の右端寄りの位置において前後に離隔して位置されている。起動スイッチ８４及び検出スイッチ８５、８６は何れもピックアップユニット７２の後方に配置されている。
【０１４８】
以下に、ディスク状記録媒体１００のローディング時及びイジェクト時におけるディスクドライブ装置５の動作について説明する（図２１乃至図４２参照）。尚、以下の説明において各部の回動方向については、各図に示すＲ１―Ｒ２方向により説明を行う。Ｒ１方向は平面で見て時計回り方向であり、Ｒ２方向は平面で見て反時計回り方向である。
【０１４９】
先ず、ディスク状記録媒体１００がフロントパネル９のディスク挿入口９ａから挿入される前の各部の状態である初期状態について説明する（図２１乃至図２３参照）。
【０１５０】
スライダー２０は、図２１に示すように、後方の移動端に位置され、軸摺動溝２１の前側直線部２１ａに回動レバー２２の被押圧軸２２ｃが係合されている。このとき回動レバー２２はＲ２方向における回動端寄りに位置され、回動レバー２２に連結されているロードレバー２４もＲ２方向における回動端寄りに位置されている。
【０１５１】
スライダー２０のスイッチ押圧部２０ｃは後側に位置されている検出スイッチ８６を操作した状態とされている。
【０１５２】
スライダー２０が後方の移動端に位置されているため、駆動レバー２５はＲ２方向における回動端に位置されている。
【０１５３】
センターリングスライダー３１はサポートレバー４０との間に支持された引張コイルバネ３５の付勢力によって前方の移動端に位置されている。
【０１５４】
イジェクトレバー３６はシャーシ１２との間に支持された付勢バネ３８の付勢力によってＲ１方向における回動端である待受位置にあり、規制ピン３６ｂは駆動レバー２５の作用孔２９における前端部に位置されている。このときイジェクトレバー３６は一部がディスクテーブル７８のテーブル部７８ｂの上方及びピックアップベース７３の上方に位置され、ディスク保持部３７がディスクテーブル７８のセンターリング突部７８ａの前方かつ右方に位置されている。
【０１５５】
イジェクトレバー３６に取り付けられた被押圧部材３９はスイッチ押圧部３９ａが起動スイッチ８４を操作した状態とされている。このとき駆動モーター１９は起動されていない。
【０１５６】
サポートレバー４０はセンターリングスライダー３１との間に支持された引張コイルバネ３５の付勢力によってＲ１方向における回動端である待受位置にあり、一方の被ガイドピン４１ａがセンターリングスライダー３１のロック縁部３２ｂに係合されてＲ１方向における回動端に保持されている。このときサポートレバー４０のアーム部４２がピックアップベース７３の上方に位置され、ディスク保持部４３がディスクテーブル７８のセンターリング突部７８ａの前方かつ左方に位置されている。サポートレバー４０のディスク保持部４３はイジェクトレバー３６のディスク保持部３７より稍前方に位置されている。
【０１５７】
センターリングレバー４４は被作用突部４４ｂにセンターリングスライダー３１の直線作用部３４が左方から係合されており、シャーシ１２との間に支持されたコイルバネ４５の付勢力に抗してＲ２方向における回動端に位置されている。
【０１５８】
第１のカムスライダー４８、ドライブプレート５１及び第１のスライドプレート６５は後方の移動端に位置され、図２２に示すように、ドライブプレート５１の作用ピン５４は第１のスライドプレート６５の連結孔６８における上端寄りの位置に係合されている。このとき第１のスライダー支持部１６に設けられた支持ピン１６ｃ、１６ｃは第１のカムスライダー４８の被案内孔４９ａを貫通されそれぞれドライブプレート５１のカム摺動孔５５の前端部と摺動孔５６の前端部とに係合されている。
【０１５９】
第２のカムスライダー５７及び第２のスライドプレート６９は左方の移動端に位置されている（図２３参照）。このとき第２のスライダー支持部１５に設けられた作動ピン１５ｄは第２のカムスライダー５７の右側のカム溝５８の第１の直線溝部５８ａに係合されている。また、リミットレバー６２の係合ピン６２ｂは第２のカムスライダー５７の左側のカム溝５８の第１の直線溝部５８ａに係合されている。従って、第２のカムスライダー５７は下方の移動端に位置されている。
【０１６０】
ピックアップユニット７２は、連結ピン７３ａ、７３ａが第１のスライドプレート６５の摺動孔６７に係合され（図２２参照）、連結ピン７３ｂ、７３ｂが第２のスライドプレート６９の摺動孔７１、第２のスライダー支持部１５の案内用切欠１５ｇ、１５ｇ及び第２のカムスライダー５７の連結溝５９に係合され（図２３参照）、後下がりの状態で傾斜されている。
【０１６１】
モーターユニット７５は、連結軸８３ａが第１のスライドプレート６５のカム孔６６における第１の直線部６６ａに係合され（図２２参照）、連結軸８３ｂ、８３ｂがそれぞれ第２のスライドプレート６９のカム孔７０における第１の直線部７０ａ、７０ａに係合され（図２３参照）、下方の移動端寄りの位置に保持されている。このときモーターユニット７５のモーター取付ベース７６はピックアップユニット７２のピックアップベース７３の下方に離隔して位置されている。
【０１６２】
以上に記載した初期状態において、ディスク状記録媒体１００がフロントパネル９のディスク挿入口９ａから手動により挿入されると、図２４に示すように、ディスク状記録媒体１００は外周面がサポートレバー４０におけるディスク保持部４３のディスク保持ピン４３ａに接し、ディスク保持部４３に保持される。サポートレバー４０はディスク状記録媒体１００によってディスク保持ピン４３ａが押圧されてＲ２方向へ回動されていく。
【０１６３】
尚、ディスク状記録媒体１００のディスク挿入口９ａに対する挿入時及び排出時には、何れもディスク状記録媒体１００は外周部が案内部材４６のディスク案内凹部４６ａに摺接されて案内され前後方向へ移動されていく。
【０１６４】
ディスク挿入口９ａから挿入されていくディスク状記録媒体１００は、ロードレバー２４のローラー２４ｂに接し、ロードレバー２４がディスク状記録媒体１００の挿入に伴って捩じりコイルバネ２３の付勢力に抗してＲ２方向へ回動される。このときロードレバー２４の回動に伴って回動レバー２２もＲ２方向へ回動される。
【０１６５】
ディスク状記録媒体１００は、図２５に示すように、外周面がイジェクトレバー３６におけるディスク保持部３７のディスク保持ピン３７ａに接し、サポートレバー４０のディスク保持部４３とイジェクトレバー３６のディスク保持部３７の両者に保持される。イジェクトレバー３６はディスク状記録媒体１００によってディスク保持ピン３７ａが押圧されてＲ２方向へ回動されていく。
【０１６６】
ディスク挿入口９ａからディスク状記録媒体１００が挿入されたときには、上記したように、ディスク状記録媒体１００がディスクテーブル７８のセンターリング突部７８ａの前方に位置されているディスク保持部３７、４３に保持される。
【０１６７】
従って、ディスク状記録媒体１００はセンターリング突部７８ａの前方において左右に位置するディスク保持部３７、４３によって保持されるため、ディスク状記録媒体１００が水平状態に対し後下がりの状態で傾斜してディスク挿入口９ａから挿入されてしまった場合においても、ディスク状記録媒体１００がディスクテーブル７８やピックアップベース７３に接触することがなく、ディスク状記録媒体１００の傷付きを防止することができる。
【０１６８】
尚、ディスクドライブ装置５においては、ディスク挿入口９ａから挿入されたディスク状記録媒体１００が、先に、サポートレバー４０のディスク保持部４３に保持され、次いで、イジェクトレバー３６のディスク保持部３７に保持されるようにしているが、逆に、先に、イジェクトレバー３６のディスク保持部３７に保持され、次いで、サポートレバー４０のディスク保持部４３に保持されるように両者の位置を変更してもよく、また、サポートレバー４０のディスク保持部４３とイジェクトレバー３６のディスク保持部３７に同時に保持されるように両者の位置を設定してもよい。
【０１６９】
さらにディスク状記録媒体１００が内部へ挿入されていき後方へ移動されていくと、図２５に示すように、ディスク状記録媒体１００の中心がロードレバー２４のローラー２４ｂより後方へ移動され、捩じりコイルバネ２３の付勢力によってロードレバー２４がＲ１方向へ回動され、ローラー２４ｂによってディスク状記録媒体１００が後方へ押圧されていく。このときイジェクトレバー３６とサポートレバー４０はディスク保持ピン３７ａ、４３ａがディスク状記録媒体１００に押圧されることによりＲ２方向へ回動されていく。
【０１７０】
イジェクトレバー３６がＲ２方向へ回動されるときには規制ピン３６ｂが駆動レバー２５の作用孔２９を移動される。
【０１７１】
イジェクトレバー３６がＲ２方向へ回動されディスク状記録媒体１００が所定の位置まで回動されると、図２５に示すように、被押圧部材３９のスイッチ押圧部３９ａによる起動スイッチ８４に対する操作が解除され、駆動モーター１９が一方（正転方向）へ回転される。
【０１７２】
駆動モーター１９が起動された後は、該駆動モーター１９の駆動力によるディスク状記録媒体１００のローディングが行われるため、使用者の手動によるディスク状記録媒体１００の挿入作業は不要となる。
【０１７３】
駆動モーター１９が回転されると、その駆動力がスライダー２０に伝達され、該スライダー２０が前方へ移動されていく。駆動モーター１９の回転によりスライダー２０が前方へ移動されると、該スライダー２０のスイッチ押圧部２０ｃによる検出スイッチ８６に対する操作が解除される。
【０１７４】
スライダー２０が前方へ移動されると、押圧突部２０ｂによって回動レバー２２の被押圧片部２２ｂが押圧され回動レバー２２及びロードレバー２４がそれぞれＲ１方向へ回動されていく（図２６参照）。従って、ディスク状記録媒体１００はロードレバー２４のローラー２４ｂによって後方へ押圧され、駆動モーター１９の駆動力によってディスク状記録媒体１００が後方へ移動されていく。
【０１７５】
スライダー２０の前方への移動により、駆動レバー２５はＲ１方向へ回動されていく。
【０１７６】
引き続きスライダー２０が前方へ移動されると、図２７に示すように、押圧突部２０ｂが被押圧片部２２ｂから前方へ離隔され、回動レバー２２の被押圧軸２２ｃがスライダー２０の軸摺動溝２１において前側直線部２１ａから前側斜行部２１ｂに摺接しながら相対的に移動されていく。
【０１７７】
被押圧軸２２ｃが前側斜行部２１ｂに相対的に移動されていくと、回動レバー２０は引き続きＲ１方向へ回動され、ロードレバー２４もＲ１方向へ回動されてディスク状記録媒体１００が後方へさらに移動されていく。
【０１７８】
さらに駆動モーター１９によってスライダー２０が前方へ移動されると、ディスク状記録媒体１００はロードレバー２４のローラー２４ｂに押圧されてさらに後方へ移動される（図２８参照）。ディスク状記録媒体１００は案内部材４６の後方側へ移動され、センターリングレバー４４のディスク保持凹部４４ａに摺接されて案内され後方へ移動されていく。
【０１７９】
回動レバー２２は被押圧軸２２ｃがスライダー２０の軸摺動溝２１において前側斜行部２１ｂから中側直線部２１ｃに相対的に移動されていく。従って、図２８に示すように、回動レバー２２及びロードレバー２４の回動は停止されディスク状記録媒体１００は中心孔１００ａがディスクテーブル７８のセンターリング突部７８ａの真上に位置するセンターリング位置で停止される。このときディスク状記録媒体１００はロードレバー２４のローラー２４ｂ、イジェクトレバー３６のディスク保持ピン３７ａ、サポートレバー４０のディスク保持ピン４３ａ及びセンターリングレバー４４のディスク保持凹部４４ａによって外周側から保持されている。
【０１８０】
センターリング位置においてはロードレバー２４の回動が停止されるため、イジェクトレバー３６及びサポートレバー４０の回動も停止される。
【０１８１】
駆動モーター１９は引き続き正転方向に回転され、スライダー２０が前方へ移動されていく。スライダー２０の前方への移動により回動レバー２２の被押圧軸２２ｃは軸摺動溝２１の中側直線部２１ｃを相対的に後方へ移動されていく。
【０１８２】
スライダー２０の前方への移動により、該スライダー２０の押圧面部２０ｄによって第１のカムスライダー４８が前方へ押圧され、図２９に示すように、第１のカムスライダー４８、ドライブプレート５１及び第１のスライドプレート６５が一体となって前方へ移動されていく。このとき、同時に、第１のカムスライダー４８と第２のカムスライダー５７を連結している連結レバー６０が回動され、図３０に示すように、第２のカムスライダー５７及び第２のスライドプレート６９が一体となって右方へ移動されていく。
【０１８３】
第２のカムスライダー５７が右方へ移動されると、図３０に示すように、第２のスライダー支持部１５に設けられた作動ピン１５ｄ及びリミットレバー６２の係合ピン６２ｂが、それぞれカム溝５８、５８を第１の直線溝部５８ａ、５８ａから第１の傾斜溝部５８ｂ、５８ｂを経て第２の直線溝部５８ｃ、５８ｃまで相対的に移動される。従って、第２のカムスライダー５７は上方へ移動される。
【０１８４】
このときピックアップユニット７２は連結ピン７３ｂ、７３ｂが第２のスライドプレート６９の摺動孔７１を左方へ向けて相対的に移動されるが、第２のカムスライダー５７の上方への移動によって連結ピン７３ｂ、７３ｂがそれぞれ第２のスライダー支持部１５の案内用切欠１５ｇ、１５ｇに案内されるため、ピックアップユニット７２は上方へ移動される。
【０１８５】
同時に、第１のカムスライダー４８がドライブプレート５１と一体となって前方へ移動されると、図２９に示すように、第１のスライダー支持部１６に設けられた前側に位置する支持ピン１６ｃが第１のカムスライダー４８の被案内孔４９ａ及びドライブプレート５１のカム摺動孔５５の前側水平部５５ａを相対的に後方へ移動され、第１のスライダー支持部１６に設けられた後側に位置する支持ピン１６ｃが第１のカムスライダー４８の被案内孔４９ａ及びドライブプレート５１の摺動孔５６を相対的に後方へ移動される。従って、第１のカムスライダー４８及びドライブプレート５１は上下方向へ移動されない。
【０１８６】
このとき、ピックアップユニット７２の連結ピン７３ａ、７３ａは、図２９に示すように、第１のカムスライダー４８と一体となって前方へ移動される第１のスライドプレート６５の移動によって摺動孔６７を相対的に後方へ移動される。第１のスライドプレート６５はピックアップユニット７２の移動に伴って上方へ移動される。第１のスライドプレート６５の移動によってドライブプレート５１の作用ピン５４は第１のスライドプレート６５の連結孔６８を相対的に下方へ移動される。
【０１８７】
同時に、モーターユニット７５は、連結軸８３ａが第１のスライドプレート６５のカム孔６６を第１の直線部６６ａから第１の傾斜部６６ｂを経て第２の直線部６６ｃまで相対的に移動され（図２９参照）、連結軸８３ｂ、８３ｂがそれぞれ第２のスライドプレート６９のカム孔７０、７０を第１の直線部７０ａ、７０ａから第１の傾斜部７０ｂ、７０ｂを経て第２の直線部７０ｃ、７０ｃまで相対的に移動される（図３０参照）。このとき、上記したように、第２のカムスライダー５７は上方へ移動されているが、この上方への移動量が第１の直線部６６ａ、７０ａ、７０ａと第２の直線部６６ｃ、７０ｃ、７０ｃの上下方向における距離と略同じにされているため、連結軸８３ａ、８３ｂ、８３ｂがカム孔６６、７０、７０を第１の直線部６６ａ、７０ａ、７０ａから第２の直線部６６ｃ、７０ｃ、７０ｃまで相対的に移動されても、モーターユニット７５は上下方向へ移動されない。
【０１８８】
スライダー２０の前方への移動により、第１のカムスライダー４８、ドライブプレート５１及び第１のスライドプレート６５はさらに前方へ移動され（図３１参照）、第２のカムスライダー５７及び第２のスライドプレート６９はさらに右方へ移動されていく（図３２参照）。
【０１８９】
さらに第２のカムスライダー５７が右方へ移動されると、図３２に示すように、第２のスライダー支持部１５に設けられた作動ピン１５ｄ及びリミットレバー６２の係合ピン６２ｂが、それぞれカム溝５８、５８の第２の直線溝部５８ｃ、５８ｃを下端まで相対的に移動される。従って、第２のカムスライダー５７は上方へ移動される。
【０１９０】
このときピックアップユニット７２は連結ピン７３ｂ、７３ｂが第２のスライドプレート６９の摺動孔７１を左方へ向けて相対的に移動されるが、第２のカムスライダー５７の上方への移動によって連結ピン７３ｂ、７３ｂがそれぞれ第２のスライダー支持部１５の案内用切欠１５ｇ、１５ｇに案内されるため、ピックアップユニット７２は上方へ移動される。
【０１９１】
同時に、第１のカムスライダー４８がドライブプレート５１と一体となって前方へ移動されると、図３１に示すように、第１のスライダー支持部１６に設けられた前側に位置する支持ピン１６ｃが第１のカムスライダー４８の被案内孔４９ａ及びドライブプレート５１のカム摺動孔５５の前側水平部５５ａを相対的に後方へ移動され、第１のスライダー支持部１６に設けられた後側に位置する支持ピン１６ｃが第１のカムスライダー４８の被案内孔４９ａ及びドライブプレート５１の摺動孔５６を相対的に後方へ移動される。従って、第１のカムスライダー４８及びドライブプレート５１は上下方向へ移動されない。
【０１９２】
このとき、ピックアップユニット７２の連結ピン７３ａ、７３ａは、図３１に示すように、第１のカムスライダー４８と一体となって前方へ移動される第１のスライドプレート６５の移動によって摺動孔６７を相対的に後方へ移動される。第１のスライドプレート６５はピックアップユニット７２の移動に伴って上方へ移動される。第１のスライドプレート６５の移動によってドライブプレート５１の作用ピン５４は第１のスライドプレート６５の連結孔６８を相対的に下方へ移動される。
【０１９３】
同時に、モーターユニット７５は、連結軸８３ａが第１のスライドプレート６５のカム孔６６を第２の直線部６６ｃから第２の傾斜部６６ｄを経て第３の直線部６６ｅまで相対的に移動され（図３１参照）、連結軸８３ｂ、８３ｂがそれぞれ第２のスライドプレート６９のカム孔７０、７０を第２の直線部７０ｃ、７０ｃから第２の傾斜部７０ｄ、７０ｄを経て第３の直線部７０ｅ、７０ｅまで相対的に移動される（図３２参照）。従って、モーターユニット７５は上方へ移動され、ディスクテーブル７８のセンターリング突部７８ａによってディスク状記録媒体１００が押し上げられて該ディスク状記録媒体１００の内周部がカバー体８に設けられた押さえ突部８ｂに押し付けられる。
【０１９４】
ディスク状記録媒体１００が下方から押し付けられたカバー体８は、図３３に示すように、一旦撓められるが、その反力がディスク状記録媒体１００に下方への押圧力として付与され、ディスク状記録媒体１００に付与された押圧力によってディスクテーブル７８の係合爪７８ｃ、７８ｃ、７８ｃが弾性変形されてディスク状記録媒体１００の中心孔１００ａにセンターリング突部７８ｂが嵌合される（図３４参照）。ディスク状記録媒体１００の中心孔１００ａにセンターリング突部７８ｂが嵌合されると、弾性変形されていた係合爪７８ｃ、７８ｃ、７８ｃが弾性復帰してディスク状記録媒体１００の中心孔１００ａの上側開口縁に係合され、ディスク状記録媒体１００がディスクテーブル７８にチャッキングされて保持される。
【０１９５】
このときディスク挿入口９ａから挿入されたディスク状記録媒体１００の厚みの相違によって以下のような異なる動作が行われる。
【０１９６】
厚みの薄いディスク状記録媒体１００がチャッキングされる場合には、図３５に示すように、ディスク状記録媒体１００がディスクテーブル７８のセンターリング突部７８ａによって押し上げられたときに、カバー体８の上方に、例えば、電子機器１の他の部材１０００が存在していた場合においても、カバー体８の上面が他の部材１０００に接触されず、リミットレバー６２は動作されない。
【０１９７】
一方、厚みの厚いディスク状記録媒体１００がチャッキングされる場合には、図３６に示すように、ディスク状記録媒体１００がディスクテーブル７８のセンターリング突部７８ａによって押し上げられたときに、撓められたカバー体８は、ディスク状記録媒体１００の厚みが厚い分、ディスク状記録媒体１００の厚みが薄い場合に比し、より上方へ変位し易い。従って、カバー体８の上方に、例えば、電子機器１の他の部材１０００が存在していた場合においては、カバー体８の上面が他の部材１０００に接触されるおそれがある。
【０１９８】
カバー体８の上面が他の部材１０００に接触されてしまうと、ディスク状記録媒体１００のディスクテーブル７８へのチャッキング時に、モーターユニット７５の上昇によりカバー体８が他の部材１０００に大きな力で押し付けられる可能性がある。この場合に、モーターユニット７５の上方への移動を許容すると、ディスク状記録媒体１００やディスクドライブ装置５の各機構の損傷や動作不良等の不具合を来たすおそれがある。
【０１９９】
従って、ディスクドライブ装置５にあっては、ディスク状記録媒体１００のディスクテーブル７８へのチャッキング時に、以下のような動作が行われ、上記した不具合の発生を防止するようにしている（図３７参照）。
【０２００】
ディスク状記録媒体１００のチャッキング時に、モーターユニット７５の上昇によりディスク状記録媒体１００の内周部がカバー体８の押さえ突部８ｂに下方から強く押し付けられると、ディスク状記録媒体１００からディスクテーブル７８、連結軸８３ｂ、８３ｂを有するモーターユニット７５、連結軸８３ｂ、８３ｂが係合された第２のスライドプレート６９、該第２のスライドプレート６９が結合されている第２のカムスライダー５７、該第２のカムスライダー５７のカム溝５８に係合されている係合ピン６２ｂを有するリミットレバー６２及びリミットレバー６２を付勢しているリミットバネ６３に順に力が伝達され、該リミットバネ６３が伝達された力を吸収して弾性変形され、リミットレバー６２は係合ピン６２ｂが略下方へ移動される方向へ回動される（リミットレバー６２の回動前の状態を図３７に２点鎖線で示す。）。従って、ディスク状記録媒体１００は、これ以上、上昇することはなく、これ以上のカバー体８の撓みが規制される。
【０２０１】
スライダー２０は引き続き前方へ移動され、該スライダー２０の前方への移動により、第１のカムスライダー４８、ドライブプレート５１及び第１のスライドプレート６５はさらに前方へ移動され（図３８参照）、第２のカムスライダー５７及び第２のスライドプレート６９はさらに右方へ移動されていく（図３９参照）。
【０２０２】
第２のカムスライダー５７がさらに右方へ移動されると、図３９に示すように、第２のスライダー支持部１５に設けられた作動ピン１５ｄ及びリミットレバー６２の係合ピン６２ｂが、それぞれカム溝５８、５８を第２の傾斜溝部５８ｄ、５８ｄの下端から第３の傾斜溝部５８ｅ、５８ｅを経て第３の直線溝部５８ｆ、５８ｆまで相対的に移動される。従って、第２のカムスライダー５７は下方へ移動される。
【０２０３】
このときピックアップユニット７２は連結ピン７３ｂ、７３ｂが第２のスライドプレート６９の摺動孔７１を左方へ向けて相対的に移動されるが、第２のカムスライダー５７の下方への移動によって連結ピン７３ｂ、７３ｂがそれぞれ第２のスライダー支持部１５の案内用切欠１５ｇ、１５ｇに案内されるため、ピックアップユニット７２は下方へ移動される。
【０２０４】
同時に、第１のカムスライダー４８がドライブプレート５１と一体となって前方へ移動されると、図３８に示すように、第１のスライダー支持部１６に設けられた前側に位置する支持ピン１６ｃが第１のカムスライダー４８の被案内孔４９ａを相対的に後方へ移動されると共にドライブプレート５１のカム摺動孔５５の前側水平部５５ａから傾斜部５５ｂを経て後側水平部５５ｃまで相対的に後方へ移動され、第１のスライダー支持部１６に設けられた後側に位置する支持ピン１６ｃが第１のカムスライダー４８の被案内孔４９ａ及びドライブプレート５１の摺動孔５６を相対的に後方へ移動される。
【０２０５】
このとき、ピックアップユニット７２の連結ピン７３ａ、７３ａは、図３８に示すように、第１のカムスライダー４８と一体となって前方へ移動される第１のスライドプレート６５の移動によって摺動孔６７を相対的に後方へ移動される。第１のスライドプレート６５はピックアップユニット７２の移動に伴って下方へ移動される。第１のスライドプレート６５の移動によってドライブプレート５１の作用ピン５４は第１のスライドプレート６５の連結孔６８を相対的に上方へ移動される。
【０２０６】
同時に、モーターユニット７５は、連結軸８３ａが第１のスライドプレート６５のカム孔６６の第３の直線部６６ｅを相対的に後方へ移動され（図３８参照）、連結軸８３ｂ、８３ｂがそれぞれ第２のスライドプレート６９のカム孔７０、７０の第３の直線部７０ｅ、７０ｅを相対的に左方へ移動される（図３９参照）。従って、モーターユニット７５は第２のカムスライダー５７に伴って下方へ移動される第２のスライドプレート６９によって下方へ移動される。
【０２０７】
このとき、上記したように、第１のスライダー支持部１６に設けられた前側に位置する支持ピン１６ｃがドライブプレート５１のカム摺動孔５５の前側水平部５５ａから後側水平部５５ｃまで相対的に後方へ移動されるため、図３８に示すように、ドライブプレート５１は第１のカムスライダー４８に対して被押圧ピン５３が略上方へ移動するように動作される。ドライブプレート５１は被押圧ピン５３が第１のカムスライダー４８の第１の支持壁４９の前端部の上面に乗り上げられ、第１のカムスライダー４８とドライブプレート５１が切り離された状態となり、第１のカムスライダー４８が前方へ移動してもドライブプレート５１は前方へ移動されない状態とされる。従って、ドライブプレート５１の作用ピン５４による第１のスライドプレート６５の前方への押圧も行われない状態となり、第１のスライドプレート６５は前方へ移動されなくなる。
【０２０８】
第１のスライドプレート６５の前方への移動が停止されるため、モーターユニット７５の連結軸８３ａが第１のスライドプレート６５のカム孔６６の第３の直線部６６ｅで停止される。
【０２０９】
ドライブプレート５１が第１のカムスライダー４８に対して被押圧ピン５３が略上方へ移動するように動作されたときには、上記したように、第１のカムスライダー４８とドライブプレート５１が切り離された状態となり、この後、第１のカムスライダー４８が所定の量だけスライダー２０の前方への移動によって前方へ移動されると共に第２のカムスライダー５７及び第２のスライドプレート６９がそれぞれ所定の量だけ第１のカムスライダー４８の移動に伴って右方へ移動される。このとき第２のスライドプレート６９の右方への移動により、ピックアップユニット７２の連結ピン７３ｂ、７３ｂは摺動孔７１を相対的に左方へ移動されると共にモーターユニット７５の連結軸８３ｂ、８３ｂはそれぞれカム孔７０、７０における第３の直線部７０ｅ、７０ｅを相対的に左方へ移動されるため、ピックアップユニット７２とモーターユニット７５は上昇及び下降されない。
【０２１０】
このときスライダー２０が前方へ移動されることにより、図４０に示すように、回動レバー２２の被押圧軸２２ｃが軸摺動溝２１の中側直線部２１ｃから後側斜行部２１ｄを経て後側直線部２１ｅまで相対的に後方へ移動されていく。従って、回動レバー２２及びロードレバー２４がＲ２方向へ回動され、ロードレバー２４のローラー２４ｂがディスク状記録媒体１００の外周面から外方へ離隔される。
【０２１１】
同時に、スライダー２０の前方への移動により駆動レバー２５がＲ１方向へ回動され、イジェクトレバー３６の規制ピン３６ｂが作用孔２９の開口縁によって略後方へ押圧され、イジェクトレバー３６のディスク保持ピン３７ａがディスク状記録媒体１００の外周面から外方へ離隔されイジェクトレバー３６が引込位置に至る。イジェクトレバー３６は規制ピン３６ｂが作用孔２９の開口縁に係合されることにより引込位置においてロックされる。
【０２１２】
同時に、スライダー２０の前方への移動による駆動レバー２５のＲ１方向への回動によって、センターリングスライダー３１の被押圧片部３１ｂが駆動レバー２５の一方の被支持ピン２７ａによって後方へ押圧され、センターリングスライダー３１が後方へ移動されていく。センターリングスライダー３１が後方へ移動されると、作用突部３２のロック部３２ａがサポートレバー４０の一方の被ガイドピン４１ａに係合されると共に直線作用部３４がセンターリングレバー４４の被作用突部４４ｂから後方へ離隔される。従って、サポートレバー４０がＲ２方向へ回動されると共にセンターリングレバー４４がコイルバネ４５の付勢力によってＲ１方向へ回動され、サポートレバー４０のディスク保持ピン４３ａとセンターリングレバー４４がディスク状記録媒体１００の外周面から外方へ離隔される。サポートレバー４０はディスク保持ピン４３ａがロック部３２ａに係合されることにより引込位置においてロックされる。センターリングレバー４４は被作用突部４４ｂに傾斜作用部３３が右方から係合されることによりディスク状記録媒体１００から離隔した位置にロックされる。
【０２１３】
上記したように、ロードレバー２４のローラー２４ｂ、イジェクトレバー３６のディスク保持ピン３７ａ、サポートレバー４０のディスク保持ピン４３ａ及びセンターリングレバー４４によるディスク状記録媒体１００に対する保持が解除されると共にディスクテーブル７８によるディスク状記録媒体１００のチャッキングが行われることにより、ディスク状記録媒体１００が回転可能な状態とされる。
【０２１４】
このとき前方へ移動されたスライダー２０のスイッチ押圧部２０ｃによって検出スイッチ８５が操作され、駆動モーター１９の回転が停止される。
【０２１５】
ディスク状記録媒体１００はスピンドルモーター７７の回転によるディスクテーブル７８の回転に伴って回転され、光ピックアップ７４の駆動により情報信号の記録又は再生が行われる。
【０２１６】
尚、ピックアップユニット７２とモーターユニット７５は昇降動作の途中で結合され、少なくともディスク状記録媒体１００に対する情報信号の記録又は再生が行われるときにはモーターユニット７５とピックアップユニット７２が結合されているため、ディスク状記録媒体１００に対する情報信号の記録再生モードにおいてピックアップユニット７２とモーターユニット７５間の適正な位置関係を確保することができる。
【０２１７】
上記したように、ディスクドライブ装置５にあっては、ピックアップユニット７２とモーターユニット７５が各別に動作（昇降）されるため、ピックアップユニット７２とモーターユニット７５をそれぞれの所望の範囲内で動作させる設計が可能となり、ディスクドライブ装置５の薄型化及び設計の自由度の向上を図ることができる。
【０２１８】
ディスク状記録媒体１００に対する情報信号の記録又は再生が終了すると、図示しないイジェクト釦に対する使用者の操作により、駆動モーター１９の反転方向への回転が開始される。
【０２１９】
駆動モーター１９が反転方向へ回転されると、スライダー２０が後方へ移動され、上記とは逆の動作により再びディスク状記録媒体１００の外周面がロードレバー２４のローラー２４ｂ、イジェクトレバー３６のディスク保持ピン３７ａ、サポートレバー４０のディスク保持ピン４３ａ及びセンターリングレバー４４によって保持される。
【０２２０】
このときスライダー２０の後方への移動により駆動レバー２５がＲ２方向へ回動され、センターリングスライダー３１の被押圧片部３１ｂに対する駆動レバー２５の被支持ピン２７ａの係合が解除され、センターリングスライダー３１は前方の移動端まで引張コイルバネ３５の付勢力によって移動され、センターリングスライダー３１の前方への移動により作用突部３２のロック部３２ａによるサポートレバー４０に対するロックが解除され、センターリングスライダー３１の傾斜作用部３３の被作用突部４４ｂに対する係合が解除されると共に直線作用部３４が被作用突部４４ｂに係合されてセンターリングレバー４４がコイルバネ４５の付勢力によってＲ２方向へ回動される。
【０２２１】
続いて、スライダー２０の後方への移動による第１のカムスライダー４８の後方への移動と第２のカムスライダー５７の左方への移動によってディスクテーブル７８に対するディスク状記録媒体１００のチャッキングが解除される。
【０２２２】
第１のカムスライダー４８と第２のカムスライダー５７の移動は、両者を連結している連結レバー６０の被作用軸６０ｄがスライダー２０における作用溝２０ｅの開口縁によって後方へ押圧されることにより行われる。このとき第１のカムスライダー４８は後方への移動開始直後にはドライブプレート５１及び第１のスライドプレート６５に対して後方へ移動され、ドライブプレート５１は第１の支持壁４９の前端部の上面に乗り上げられていた被押圧ピン５３が略下方へ移動するように動作され、被押圧ピン５３が再び第１の支持壁４９の前側に係合した状態とされる。
【０２２３】
ディスク状記録媒体１００のチャッキングの解除は、ディスク状記録媒体１００がロードレバー２４、イジェクトレバー３６のディスク保持部３７、サポートレバー４０のディスク保持部４３及びセンターリングレバー４４に保持された状態において、モーターユニット７５が下降されディスク状記録媒体１００の下面がピックアップベース７３に接することによりディスクテーブル７８のセンターリング突部７８ａからディスク状記録媒体１００が引き剥がされることにより行われる。
【０２２４】
ピックアップユニット７２及びモーターユニット７５が下降されディスク状記録媒体１００のチャッキングが解除されると、ディスク状記録媒体１００のディスク挿入口９ａからの排出動作が行われ、スライダー２０が引き続き後方へ移動される。
【０２２５】
スライダー２０の後方への移動により、駆動レバー２５がＲ２方向へ回動され、該駆動レバー２５の被支持面部２６に形成された押圧部２６ａによってイジェクトレバー３６の下面側に取り付けられた被押圧部材３９の被押圧部３９ａが略前方へ押圧されイジェクトレバー３６がＲ１方向へ回動されてディスク状記録媒体１００がディスク保持ピン３７ａによって前方へ押圧されていく。ディスク状記録媒体１００が前方へ移動されていくと、その一部がディスク挿入口９ａから前方へ突出されていく（図４１参照）。
【０２２６】
このとき駆動レバー２５がＲ２方向へ回動され該駆動レバー２５の押圧部２６ａによって被押圧部材３９の被押圧部３９ａが前方へ押圧されてイジェクトレバー３６がＲ１方向へ回動されていく。
【０２２７】
スライダー２０がさらに後方へ移動されると、イジェクトレバー３６によってディスク状記録媒体１００がさらに前方へ押圧されイジェクトレバー３６が待受位置に至ったところでディスク保持ピン３７ａによるディスク状記録媒体１００に対する押圧が終了する。このときサポートレバー４０は引張コイルバネ３５の付勢力によってＲ１方向へ回動されディスク状記録媒体１００の前方への移動に追従され、回動レバー２２とロードレバー２４は該ロードレバー２４のローラー２４ｂがディスク状記録媒体１００の外周面に接触された状態で回動されていく。
【０２２８】
イジェクトレバー３６が待受位置まで回動されるときには、被押圧部材３９のスイッチ押圧部３９ａによって起動スイッチ８４が再び操作される。
【０２２９】
引き続きスライダー２０は後方へ移動され、駆動レバー２５のＲ２方向への回動により、駆動レバー２５の延設部２７に設けられた作用部２７ｂによってサポートレバー４０の被ガイドピン４１ａが略前方へ押圧される（図４２参照）。従って、ディスク状記録媒体１００はサポートレバー４０のディスク保持ピン４３ａによって押圧されて前方へ移動される。
【０２３０】
スライダー２０の後方への移動により、スイッチ押圧部２０ｃによって後側に位置された検出スイッチ８６が操作されると、駆動モーター１９の回転が停止されスライダー２０の後方への移動が停止される。
【０２３１】
使用者は、ディスク挿入口９ａから突出した部分を把持してディスク状記録媒体１００をディスクドライブ装置５から取り出すことができる。
【０２３２】
尚、スライダー２０のスイッチ押圧部２０ｃによって検出スイッチ８６が操作されることによりスライダー２０の後方への移動が停止されるが、この停止位置は初期状態における位置（図２１参照）より後方とされている。ディスクドライブ装置５にあっては、ディスク状記録媒体１００のイジェクト動作が終了しスライダー２０が後方の移動端で停止された後に、駆動モーター１９が再び正転方向へ回転され、各部が初期状態（図２１乃至図２３参照）に戻るようにプログラムが設定されている。
【０２３３】
以上に記載した通り、ディスクドライブ装置１にあっては、ディスク状記録媒体１００のチャッキング動作時に外筐６のカバー体８に設けられた押さえ突部８ｂがディスク状記録媒体１００の内周部によって押圧されたときに、リミッター２００として機能するリミットレバー６２及びリミットバネ６３によって、厚みの厚いディスク状記録媒体１００がチャッキングされる場合のカバー体８の撓み量を規制するようにしている。
【０２３４】
従って、ディスクドライブ装置５にあっては、厚みが相違する何れのディスク状記録媒体１００のチャッキング動作をも適正に行うことができると共にカバー体８の上方側の空間を少なくすることができ薄型化を図ることができる。
【０２３５】
また、ディスクドライブ装置５にあっては、リミッター２００としてリミットレバー６２とリミットバネ６３と言う簡単な構成を用いているため、機構の簡素化を図った上でチャッキング動作の適正化及び薄型化を図ることができる。
【０２３６】
上記には、リミッター２００としてリミットレバー６２及びリミットバネ６３を用いた例を示したが、リミッターはリミットレバー６２及びリミットバネ６３に限られることはなく、以下の各変形例に示すような各種のリミッターを用いることが可能である。
【０２３７】
尚、リミッター２００に代えて以下の各変形例に係るリミッターを用いる場合には、シャーシ１２の第２のスライダー支持部１５におけるレバー支持片部１５ｃに、第２のカムスライダー５７に形成された右側のカム溝５８に係合された作動ピン１５ｄと同様の作動ピン１５ｄを設け、該作動ピン１５ｄを第２のカムスライダー５７に形成された左側のカム溝５８に摺動自在に係合させる。
【０２３８】
先ず、第１の変形例に係るリミッター２００Ａについて説明する（図４３及び図４４参照）。
【０２３９】
シャーシ１２の作動ピン１５ｄ、１５ｄにそれぞれスリット８７、８７を形成し（図４３参照）、該スリット８７、８７を第１の変形例に係るリミッター２００Ａとして用いることができる。
【０２４０】
スリット８７、８７は左右方向に延びるように形成されている。
【０２４１】
このようなリミッター２００Ａとして機能するスリット８７、８７を有する作動ピン１５ｄ、１５ｄを用いた場合には、図４４に示すように、厚みの厚いディスク状記録媒体１００のチャッキング動作時に、ディスク状記録媒体１００の内周部がカバー体８の押さえ突部８ｂに下方から強く押し付けられたときに、カバー体８からの反力がディスク状記録媒体１００、モーターユニット７５、第２のスライドプレート６９及び第２のカムスライダー５７を介して作動ピン１５ｄ、１５ｄに伝達され、該作動ピン１５ｄ、１５ｄが伝達された力を吸収して弾性変形される。従って、ディスク状記録媒体１００は、これ以上、上昇することはなく、これ以上のカバー体８の撓みが規制される。
【０２４２】
作動ピン１５ｄ、１５ｄに形成したスリット８７、８７をリミッター２００Ａとして用いた場合には、リミッター２００Ａの構成が簡単であるため、ディスクドライブ装置５において、機構の簡素化を図った上でチャッキング動作の適正化及び薄型化を図ることができる。
【０２４３】
また、作動ピン１５ｄ、１５ｄに形成したスリット８７、８７をリミッター２００Ａとして用いた場合には、リミッターとして機能する専用の部品を用いる必要がないため、部品点数の削減及び機構の簡素化を図ることができる。
【０２４４】
次に、第２の変形例に係るリミッター２００Ｂについて説明する（図４５及び図４６参照）。
【０２４５】
作動ピン１５ｄ、１５ｄがそれぞれ摺動自在に係合される第２のカムスライダー５７のカム溝５８、５８にそれぞれ板バネ８８、８８を配置し（図４５参照）、該板バネ８８、８８を第２の変形例に係るリミッター２００Ｂとして用いることができる。板バネ８８、８８はそれぞれカム溝５８、５８における上方側に配置され、少なくとも第２の傾斜溝部６８ｄ、５８ｄに配置される。
【０２４６】
このようなリミッター２００Ｂとして機能する板バネ８８、８８を用いた場合には、図４６に示すように、厚みの厚いディスク状記録媒体１００のチャッキング動作時に、ディスク状記録媒体１００の内周部がカバー体８の押さえ突部８ｂに下方から強く押し付けられたときに、カバー体８からの反力がディスク状記録媒体１００、モーターユニット７５、第２のスライドプレート６９及び第２のカムスライダー５７を介して板バネ８８、８８に伝達され、該板バネ８８、８８が伝達された力を吸収して弾性変形される。従って、ディスク状記録媒体１００は、これ以上、上昇することはなく、これ以上のカバー体８の撓みが規制される。
【０２４７】
板バネ８８、８８をリミッター２００Ｂとして用いた場合には、リミッター２００Ｂの構成が簡単であるため、ディスクドライブ装置５において、機構の簡素化を図った上でチャッキング動作の適正化及び薄型化を図ることができる。
【０２４８】
次いで、第３の変形例に係るリミッター２００Ｃについて説明する（図４７及び図４８参照）。
【０２４９】
カバー体８に設けられた押さえ突部８ｂを弾性部材８９とし（図４７参照）、該弾性部材８９を第３の変形例に係るリミッター２００Ｃとして用いることができる。弾性部材８９は、例えば、円環状のゴム材料によって形成されている。
【０２５０】
このようなリミッター２００Ｃとして機能する弾性部材８９を用いた場合には、図４８に示すように、厚みの厚いディスク状記録媒体１００のチャッキング動作時に、ディスク状記録媒体１００の内周部がカバー体８の弾性部材８９に下方から強く押し付けられたときに、該弾性部材８９が押し付けられたときの力を吸収して弾性変形される。従って、ディスク状記録媒体１００は、これ以上、上昇することはなく、これ以上のカバー体８の撓みが規制される。
【０２５１】
尚、リミッター２００Ｃとして弾性部材８９を用いた場合には、厚みの薄いディスク状記録媒体１００のチャッキング動作時においても、ディスク状記録媒体１００の内周部がカバー体８に下方から押し付けられたときに弾性部材８９が弾性変形されるが、弾性部材８９の変形量は小さくカバー体８の撓みは規制されない。
【０２５２】
弾性部材８９をリミッター２００Ｃとして用いた場合には、リミッター２００Ｃの構成が簡単であるため、ディスクドライブ装置５において、機構の簡素化を図った上でチャッキング動作の適正化及び薄型化を図ることができる。
【０２５３】
次に、第４の変形例に係るリミッター２００Ｄについて説明する（図４９及び図５０参照）。
【０２５４】
ディスクテーブル７８のテーブル部７８ｂを弾性体９０とし（図４９参照）、該弾性体９０を第４の変形例に係るリミッター２００Ｄとして用いることができる。弾性体９０は、例えば、略円環状のゴム材料によって形成されている。
【０２５５】
このようなリミッター２００Ｄとして機能する弾性体９０を用いた場合には、図５０に示すように、厚みの厚いディスク状記録媒体１００のチャッキング動作時に、ディスク状記録媒体１００の内周部がカバー体８の押さえ突部８ｂに下方から強く押し付けられたときに、カバー体８からの反力が弾性体９０に伝達され、該弾性体９０が伝達された力を吸収して弾性変形される。従って、ディスク状記録媒体１００は、これ以上、上昇することはなく、これ以上のカバー体８の撓みが規制される。
【０２５６】
上記には、ディスクテーブル７８のテーブル部７８ｂの全体を弾性体９０として設けた例を示したが、弾性体として設ける部分はテーブル部７８ｂの一部であってもよく、例えば、図５１に示すように、テーブル部７８ｂの外周側の部分を弾性体９０Ａとして設け、該弾性体９０Ａをリミッター２００Ｄとして機能させるようにすることも可能である。
【０２５７】
弾性体９０、９０Ａをリミッター２００Ｄとして用いた場合には、リミッター２００Ｄの構成が簡単であるため、ディスクドライブ装置５において、機構の簡素化を図った上でチャッキング動作の適正化及び薄型化を図ることができる。
【０２５８】
また、弾性体９０、９０Ａをリミッター２００Ｄとして用いた場合には、ディスクテーブル７８の一部の構造がリミッター２００Ｄとして設けられるため、リミッター２００Ｄの専用の配置スペースを必要とせず、ディスクドライブ装置５の大型化を来たすことなくチャッキング動作の適正化及び薄型化を図ることができる。
【０２５９】
尚、上記したディスク状記録媒体１００のチャッキング動作においては、モーターユニット７５が上方へ移動されたときに、ディスクテーブル７８のセンターリング突部７８ａの上端部がカバー体８に形成された挿入孔８ａから上方へ突出される可能性がある。例えば、ディスクテーブル７８に装着されるディスク状記録媒体１００の厚みが薄い場合やディスクテーブル７８に装着されるディスク状記録媒体１００が存在しない状態でモーターユニット７５が上方へ移動されてしまった場合等に、センターリング突部７８ａの上端部が挿入孔８ａから上方へ突出される可能性がある。
【０２６０】
このような場合には、センターリング突部７８ａがカバー体８の上方に位置する他の部材１０００と衝突しセンターリング突部７８ａの破損や損傷を生じるおそれがある。
【０２６１】
そこで、ディスクドライブ装置５において、例えば、図５２に示すように、センターリング突部７８ａの上面に突部３００を設けてセンターリング突部７８ａの他の部材１０００との接触を回避するようにすることができる。突部３００は、例えば、スピンドルモーター７７のモーター軸をセンターリング突部７８ａから上方へ突出させることにより設けることが可能である。
【０２６２】
また、突部３００に代えて、例えば、図５３に示すように、他の部材１０００にスピンドルモーター７７のモーター軸に接触可能な下方へ突出された突部１００１を設けてセンターリング突部７８ａの他の部材１０００との接触を回避するようにすることができる。
【０２６３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２６４】
【図１】図２乃至図５３と共に本発明を実施するための最良の形態を示すものであり、本図は電子機器の斜視図である。
【図２】ディスクドライブ装置とディスク状記録媒体を示す斜視図である。
【図３】ディスクドライブ装置の分解斜視図である。
【図４】ディスクドライブ装置を示す斜視図である。
【図５】ディスクドライブ装置を示す概略平面図である。
【図６】シャーシとリミットレバーを示す拡大分解斜視図である。
【図７】スライダーの拡大斜視図である。
【図８】回動レバーとロードレバーを示す拡大斜視図である。
【図９】駆動レバーとスライダーの一部を示す拡大分解斜視図である。
【図１０】センターリングスライダーとセンターリングレバーを示す拡大分解斜視図である。
【図１１】イジェクトレバー、サポートレバー及び被押圧部材をシャーシの一部とともに示す拡大分解斜視図である。
【図１２】被押圧部材の拡大平面図である。
【図１３】カムスライダー等の各部材をシャーシの一部とともに示す拡大分解斜視図である。
【図１４】第２のカムスライダーの拡大斜視図である。
【図１５】カムスライダー等の各部材、ピックアップユニット及びモーターユニットをシャーシの一部と共に一部を分解して示す拡大斜視図である。
【図１６】リミッター等を示す拡大斜視図である。
【図１７】スライドプレート、ピックアップユニット及びモーターユニットを示す拡大分解斜視図である。
【図１８】第１のスライドプレートを示す拡大斜視図である。
【図１９】第２のスライドプレートを示す拡大斜視図である。
【図２０】モーターユニットを示す拡大斜視図である。
【図２１】図２２乃至図４２と共にディスクドライブ装置の動作を示すものであり、本図は、初期状態を示す概略平面図である。
【図２２】第１のカムスライダー等の初期状態を示す概略拡大側面図である。
【図２３】第２のカムスライダー等の初期状態を示す概略拡大側面図である。
【図２４】ディスク状記録媒体のディスク挿入口からの挿入が開始された状態を示す概略平面図である。
【図２５】図２４に引き続き駆動モーターの正転方向への回転が開始された状態を示す概略平面図である。
【図２６】回動レバーの被押圧片部がスライダーの押圧部によって押圧されている状態を示す概略平面図である。
【図２７】図２６に引き続き回動レバーの被押圧軸がスライダーの押圧部によって押圧されている状態を示す概略平面図である。
【図２８】図２５に引き続きディスク状記録媒体のセンターリングが完了した状態を示す概略平面図である。
【図２９】図３０乃至図３９と共にディスク状記録媒体がチャッキングされるときのピックアップユニット及びモーターユニット等の状態を示すものであり、本図は、チャッキング動作が開始された直後の第１のカムスライダー等の状態を一部を断面にして示す概略側面図である。
【図３０】チャッキング動作が開始された直後の第２のカムスライダー等の状態を示す概略側面図である。
【図３１】図２９に引き続きディスク状記録媒体のチャッキング動作が行われているときの第１のカムスライダー等の状態を示す概略側面図である。
【図３２】図３０に引き続きディスク状記録媒体のチャッキング動作が行われているときの第２のカムスライダー等の状態を示す概略側面図である。
【図３３】ディスク状記録媒体が押さえ突部に接触しカバー体が撓められている状態を一部を断面にして示す概略側面図である。
【図３４】図３３に引き続きディスク状記録媒体がチャッキングされた状態を一部を断面にして示す概略側面図である。
【図３５】厚みの薄いディスク状記録媒体がチャッキングされるときのカバー体等の状態を一部を断面にして示す概略側面図である。
【図３６】厚みの厚いディスク状記録媒体がチャッキングされるときのカバー体等の状態を一部を断面にして示す概略側面図である。
【図３７】厚みの厚いディスク状記録媒体がチャッキングされるときにリミッターが力を吸収している状態を一部を断面にして示す概略側面図である。
【図３８】図３１に引き続きディスク状記録媒体のチャッキング動作が完了しディスク駆動ユニットが下降されたときの第１のカムスライダー等の状態を示す概略側面図である。
【図３９】図３２に引き続きディスク状記録媒体のチャッキング動作が完了しディスク駆動ユニットが下降されたときの第２のカムスライダー等の状態を示す概略側面図である。
【図４０】ディスク状記録媒体のチャッキングが完了し記録再生が可能な位置にあるときの状態を示す概略平面図である。
【図４１】イジェクト動作が行われている途中の状態を示す概略平面図である。
【図４２】イジェクト動作が完了した状態を示す概略平面図である。
【図４３】図４４と共に第１の変形例に係るリミッターを示すものであり、本図は、リミッターの構成を一部を断面にして示す概略拡大側面図である。
【図４４】リミッターの動作を一部を断面にして示す概略拡大側面図である。
【図４５】図４６と共に第２の変形例に係るリミッターを示すものであり、本図は、リミッターの構成を一部を断面にして示す概略拡大側面図である。
【図４６】リミッターの動作を示す概略拡大側面図である。
【図４７】図４８と共に第３の変形例に係るリミッターを示すものであり、本図は、リミッターの構成を一部を断面にして示す概略拡大側面図である。
【図４８】リミッターの動作を一部を断面にして示す概略拡大側面図である。
【図４９】図５０及び図５１と共に第４の変形例に係るリミッターを示すものであり、本図は、リミッターの構成を示す概略拡大断面図である。
【図５０】リミッターの動作を示す概略拡大断面図である。
【図５１】リミッターの別の構成を示す概略拡大断面図である。
【図５２】センターリング突部の上面に突部が設けられた例を示す概略拡大断面図である。
【図５３】他の部材に突部が設けられた例を示す概略拡大断面図である。
【符号の説明】
【０２６５】
１００…ディスク状記録媒体、１００ａ…中心孔、１…電子機器、５…ディスクドライブ装置、６…外筐、８…カバー体、８ｂ…押さえ突部、１５ｄ…作動ピン、５７…第２のカムスライダー、５８…カム溝、６２…リミットレバー、７３…ピックアップベース、７４…光ピックアップ、７７…スピンドルモーター、７８…ディスクテーブル、７８ａ…センターリング突部、７８ｂ…テーブル部、７８ｃ…係合爪、７９…ディスク駆動ユニット、８３ｂ…連結軸、８７…スリット、８８…板バネ、８９…弾性部材、９０…弾性体、９０Ａ…弾性体、２００…リミッター、２００Ａ…リミッター、２００Ｂ…リミッター、２００Ｃ…リミッター、２００Ｄ…リミッター
【図１】
2009205736.tif 000003
【図２】
2009205736.tif 000004
【図３】
2009205736.tif 000005
【図４】
2009205736.tif 000006
【図５】
2009205736.tif 000007
【図６】
2009205736.tif 000008
【図７】
2009205736.tif 000009
【図８】
2009205736.tif 000010
【図９】
2009205736.tif 000011
【図１０】
2009205736.tif 000012
【図１１】
2009205736.tif 000013
【図１２】
2009205736.tif 000014
【図１３】
2009205736.tif 000015
【図１４】
2009205736.tif 000016
【図１５】
2009205736.tif 000017
【図１６】
2009205736.tif 000018
【図１７】
2009205736.tif 000019
【図１８】
2009205736.tif 000020
【図１９】
2009205736.tif 000021
【図２０】
2009205736.tif 000022
【図２１】
2009205736.tif 000023
【図２２】
2009205736.tif 000024
【図２３】
2009205736.tif 000025
【図２４】
2009205736.tif 000026
【図２５】
2009205736.tif 000027
【図２６】
2009205736.tif 000028
【図２７】
2009205736.tif 000029
【図２８】
2009205736.tif 000030
【図２９】
2009205736.tif 000031
【図３０】
2009205736.tif 000032
【図３１】
2009205736.tif 000033
【図３２】
2009205736.tif 000034
【図３３】
2009205736.tif 000035
【図３４】
2009205736.tif 000036
【図３５】
2009205736.tif 000037
【図３６】
2009205736.tif 000038
【図３７】
2009205736.tif 000039
【図３８】
2009205736.tif 000040
【図３９】
2009205736.tif 000041
【図４０】
2009205736.tif 000042
【図４１】
2009205736.tif 000043
【図４２】
2009205736.tif 000044
【図４３】
2009205736.tif 000045
【図４４】
2009205736.tif 000046
【図４５】
2009205736.tif 000047
【図４６】
2009205736.tif 000048
【図４７】
2009205736.tif 000049
【図４８】
2009205736.tif 000050
【図４９】
2009205736.tif 000051
【図５０】
2009205736.tif 000052
【図５１】
2009205736.tif 000053
【図５２】
2009205736.tif 000054
【図５３】
2009205736.tif 000055